(57)【要約】【課題】体験記録情報処理通信システムにおいて、撮影集音装置での情報の集録かつ再現、及び集録者の体感検出情報の記録かつ再現を個人でも容易かつ確実に行なう。【解決手段】撮影集音装置１０ａ〜１０ｃでの集録対象の撮像と集音を集録し、かつ、この集録中における集録者の体感検出情報（加速度を含む集録環境情報と心拍数を含む集録者情報）を体感情報検出装置９ａ〜９ｃで記録する。記録情報を通信・再現システム２ａ〜２ｃで再現する。この再現される記録情報を電動椅子で閲覧者が鑑賞する際に、電動椅子を再現中の体感検出情報に対応して変位（例えば、電動椅子の一部振動又は全部振動）させる。【選択図】図１
2004140812.tif 000002
【特許請求の範囲】
【請求項１】
　撮影集音装置での記録情報の集録かつ体感情報検出装置での体感検出情報の記録と前記記録情報及び前記体感検出情報を通信・再現システムで再現するための体験記録情報処理方法にあって、
　前記撮影集音装置で撮影対象の記録情報を集録する工程と、
　前記撮影集音装置での記録情報を集録中の体感検出情報を前記体感情報検出装置で記録する工程と、
　を有することを特徴とする体験記録情報処理方法。
【請求項２】
　撮影集音装置での記録情報の集録かつ体感情報検出装置での体感検出情報の記録と前記記録情報及び前記体感検出情報を通信・再現システムで再現するための体験記録情報処理方法にあって、
　前記撮影集音装置で撮影対象の記録情報を集録する工程と、
　前記撮影集音装置での記録情報を集録中の体感検出情報を前記体感情報検出装置で記録する工程と、
　前記通信・再現システムで記録情報を再現する工程と、
　前記再現される記録情報を閲覧者が鑑賞する際に、前記記録情報の集録中に記録された前記体感検出情報に対応して、前記閲覧者が接触する電動用具が変位する工程と、
　を有することを特徴とする体験記録情報処理方法。
【請求項３】
　撮影集音装置での記録情報の集録かつ体感情報検出装置での体感検出情報の記録と前記記録情報及び前記体感検出情報を通信・再現システムで再現するための体験記録情報処理方法にあって、
　前記撮影集音装置での撮影対象の記録情報とともに、該記録情報の集録者の体感検出情報を記録した情報記録媒体から前記記録情報を再生する工程と、
　前記再生した記録情報を通信・再現システムで再現する工程と、
　前記再現される記録情報を閲覧者が鑑賞する際に、前記記録情報の集録中に記録された前記体感検出情報に対応して、前記閲覧者が接触する電動用具が変位する工程と、
　を有することを特徴とする体験記録情報処理方法。
【請求項４】
　撮影集音装置での記録情報の集録かつ体感情報検出装置での体感検出情報の記録と前記記録情報及び前記体感検出情報を通信・再現システムで再現するための体験記録情報処理方法にあって、
　前記撮影集音装置で撮影対象の記録情報を集録する工程と、
　前記記録情報の集録中における集録者の体感検出情報を体感情報検出装置で記録する工程と、
　前記記録情報及び前記体感検出情報を双方向通信ネットワーク上の装置に格納する工程と、
　を有することを特徴とする体験記録情報処理方法。
【請求項５】
　撮影集音装置での記録情報の集録かつ体感情報検出装置での体感検出情報の記録と前記記録情報及び前記体感検出情報を通信・再現システムで再現するための体験記録情報処理方法にあって、
　双方向通信ネットワーク上の装置に予め格納された記録情報及び体感検出情報を双方向通信ネットワーク上の装置から取り込む工程と、
　前記通信・再現システムで記録情報を再現する工程と、
　前記再現される記録情報を閲覧者が鑑賞する際に、前記記録情報の集録中に記録された前記体感検出情報に対応して、前記閲覧者が接触する電動用具が変位する工程と、
　を有することを特徴とする体験記録情報処理方法。
【請求項６】
　撮影集音装置での記録情報の集録かつ体感情報検出装置での体感検出情報の記録と前記記録情報及び前記体感検出情報を通信・再現システムで再現するための体験記録情報処理方法にあって、
　前記撮影集音装置で撮影対象の記録情報を集録する工程と、
　前記記録情報の集録中における集録者の体感検出情報を体感情報検出装置で記録する工程と、
　前記集録した記録情報及び記録した体感検出情報を双方向通信ネットワーク上の装置に格納する工程と、
　この格納した記録情報及び体感検出情報の格納依頼に対する対価決済を双方向通信ネットワークを通じて、格納を行う側が格納を依頼する側に支払う工程と、
　を有することを特徴とする体験記録情報処理方法。
【請求項７】
　撮影集音装置での記録情報の集録かつ体感情報検出装置での体感検出情報の記録と前記記録情報及び前記体感検出情報を通信・再現システムで再現するための体験記録情報処理方法にあって、
　双方向通信ネットワーク上の装置に予め格納された記録情報及び体感検出情報を双方向通信ネットワーク上の装置から取り込む工程と、
　この取り込みに対する記録情報及び体感検出情報の対価決済を取り込み側が双方向通信ネットワークを通じて支払う工程と、
　を有することを特徴とする体験記録情報処理方法。
【請求項８】
　記録情報の集録かつ体感検出情報の記録と前記記録情報及び前記体感検出情報を再現するための体験記録情報処理通信システムにあって、
　撮影対象の記録情報を集録する集録手段と、
　前記集録手段での集録中における集録者の体感検出情報を記録する検出記録手段と、
　を備えることを特徴とする体験記録情報処理通信システム。
【請求項９】
　記録情報の集録かつ体感検出情報の記録と前記記録情報及び前記体感検出情報を再現するための体験記録情報処理通信システムにあって、
　撮影対象の記録情報を集録する集録手段と、
　前記集録手段での集録中における集録者の体感検出情報を記録する検出記録手段と、
　前記集録手段での記録情報を再現する再現手段と、
　前記再現手段で再現される記録情報を閲覧者が鑑賞する際に、前記記録情報の集録中に記録された前記体感検出情報に対応して、前記閲覧者が接触し、かつ、変位する電動用具と、
　を備えることを特徴とする体験記録情報処理通信システム。
【請求項１０】
　記録情報の集録かつ体感検出情報の記録と前記記録情報及び前記体感検出情報を再現するための体験記録情報処理通信システムにあって、
　集録した撮影対象の記録情報及び、該記録情報の集録中における体感検出情報を記録した情報記録媒体と、
　前記情報記録媒体の記録情報を再生する再生手段と、
　前記再生手段から前記記録情報を再現する再現手段と、
　前記再現手段で再現される記録情報を閲覧者が鑑賞する際に、前記記録情報の集録中に記録された前記体感検出情報に対応して、前記閲覧者が接触し、かつ、変位する電動用具と、
　を備えることを特徴とする体験記録情報処理通信システム。
【請求項１１】
　記録情報の集録かつ体感検出情報の記録と前記記録情報及び前記体感検出情報を再現するための体験記録情報処理通信システムにあって、
　撮影対象の記録情報を集録する集録手段と、
　前記集録手段での集録中における集録者の体感検出情報を記録する検出記録手段と、
　前記集録手段及び検出記録手段からの記録情報及び体感検出情報を双方向通信ネットワーク上の装置に転送して格納する通信手段と、
　を備えることを特徴とする体験記録情報処理通信システム。
【請求項１２】
　記録情報の集録かつ体感検出情報の記録と前記記録情報及び前記体感検出情報を再現するための体験記録情報処理通信システムにあって、
　双方向通信ネットワーク上の装置に予め格納された記録情報及び体感検出情報を双方向通信ネットワーク上の装置に転送を要求して取り込むための通信手段と、
　前記通信手段で取り込んだ記録情報を再現する再現手段と、
　前記再現手段で再現される記録情報を閲覧者が鑑賞する際に、前記記録情報の集録中に記録された前記体感検出情報に対応して、前記閲覧者が接触し、かつ、変位する電動用具と、
　を備えることを特徴とする体験記録情報処理通信システム。
【請求項１３】
　記録情報の集録かつ体感検出情報の記録と前記記録情報及び前記体感検出情報を再現するための体験記録情報処理通信システムにあって、
　撮影対象の記録情報を集録する集録手段と、
　前記集録手段での集録中における集録者の体感検出情報を記録する検出記録手段と、
　前記集録手段及び検出記録手段からの記録情報及び体感検出情報を双方向通信ネットワーク上の装置に転送して格納するための通信手段と、
　前記通信手段が格納した記録情報及び体感検出情報に対する対価決済を、双方向通信ネットワークを通じて、格納を依頼する側の装置に支払うための決済通信手段と、
　を備えることを特徴とする体験記録情報処理通信システム。
【請求項１４】
　記録情報の集録かつ体感検出情報の記録と前記記録情報及び前記体感検出情報を再現するための体験記録情報処理通信システムにあって、
　双方向通信ネットワーク上の装置に予め格納された記録情報及び体感検出情報を双方向通信ネットワーク上の装置から取り込むための通信手段と、
　前記通信手段からの記録情報及び体感検出情報に対する対価決済を、前記双方向通信ネットワークを通じて支払うための決済通信手段と、
　を備えることを特徴とする体験記録情報処理通信システム。
【請求項１５】
　記録情報及び該記録情報の集録中における集録者の体感検出情報を記録し、かつ、再現するための情報記録媒体にあって、
　撮影による記録情報のデータ構造と、
　前記撮影中の体感検出情報のデータ構造と、
　を有するデータが記録されたコンピュータ読み取り可能な情報記録媒体。
【請求項１６】
　撮影対象の記録情報を集録する手順と、
　前記記録情報の集録中における集録者の体感検出情報を記録する手順と、
　の制御をコンピュータに実行させるためのプログラム。
【請求項１７】
　撮影対象の記録情報を集録する手順と、
　前記記録情報の集録中における集録者の体感検出情報を記録する手順と、
　前記記録情報を再現する手順と、
　前記再現される記録情報を閲覧者が鑑賞する際に、前記記録情報の集録中に記録された前記体感検出情報に対応して、前記閲覧者が接触する電動用具が変位する手順と、
　の制御をコンピュータに実行させるためのプログラム。
【請求項１８】
　撮影対象の記録情報とともに、該記録情報の集録者の体感検出情報を記録した情報記録媒体から前記記録情報を再現する手順と、
　前記再現される記録情報を閲覧者が鑑賞する際に、前記記録情報の集録中に記録された前記体感検出情報に対応して、前記閲覧者が接触する電動用具が変位する手順と、
　の制御をコンピュータに実行させるためのプログラム。
【請求項１９】
　撮影対象の記録情報を集録する手順と、
　前記記録情報の集録中における集録者の体感検出情報を記録する手順と、
　前記記録情報及び前記体感検出情報を双方向通信ネットワーク上の装置に格納する手順と、
　の制御をコンピュータに実行させるためのプログラム。
【請求項２０】
　双方向通信ネットワーク上の装置に予め格納された記録情報及び体感検出情報を双方向通信ネットワーク上の装置から取り込む手順と、
　前記記録情報を再現する手順と、
　前記再現される記録情報を閲覧者が鑑賞する際に、前記記録情報の集録中に記録されたの前記体感検出情報に対応して、前記閲覧者が接触する電動用具が変位する手順と、
　の制御をコンピュータに実行させるためのプログラム。
【請求項２１】
　撮影対象の記録情報を集録する手順と、
　前記記録情報の集録中における集録者の体感検出情報を記録する手順と、
　前記集録した記録情報及び記録した体感検出情報を双方向通信ネットワーク上の装置に格納する手順と、
　この格納した記録情報及び体感検出情報の格納依頼に対する対価決済を双方向通信ネットワークを通じて、格納を行う側が格納を依頼する側に支払う手順と、
　の制御をコンピュータに実行させるためのプログラム。
【請求項２２】
　双方向通信ネットワーク上の装置に予め格納された記録情報及び体感検出情報を双方向通信ネットワーク上の装置から取り込む手順と、
　この取り込みに対する記録情報及び体感検出情報の対価決済を取り込み側が双方向通信ネットワークを通じて支払う手順と、
　の制御をコンピュータに実行させるためのプログラム。
【請求項２３】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ａ）前記撮影集音装置で集録対象の記録情報を集録する工程と、
（ｂ）前記撮影集音装置で記録情報を集録中の集録環境情報を、前記体感情報検出装置に備えられた集録環境情報収集部で収集し、かつ記録する工程と、
（ｃ）前記撮影集音装置で記録情報を集録中の集録者情報を、前記体感情報検出装置に備えられた集録者情報収集部で収集し、かつ記録する工程と、
（ｄ）前記記録情報、前記集録環境情報、及び前記集録者情報を同期させて、記録信号処理装置で体験記録情報として合成する工程と、
（ｅ）前記体験記録情報を信号記録装置で記録する工程と、
　を有することを特徴とする体験記録情報処理方法。
【請求項２４】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ａ）前記撮影集音装置で集録対象の記録情報を集録する工程と、
（ｂ）前記撮影集音装置で記録情報を集録中の集録環境情報を、前記体感情報検出装置に備えられた集録環境情報収集部で収集し、かつ記録する工程と、
（ｃ）前記撮影集音装置で記録情報を集録中の集録者情報を、前記体感情報検出装置に備えられた集録者情報収集部で収集し、かつ記録する工程と、
（ｄ）前記記録情報、前記集録環境情報、及び前記集録者情報を同期させて、記録信号処理装置で体験記録情報として合成する工程と、
（ｅ）前記体験記録情報を信号記録装置で記録する工程と
（ｆ）信号読み出し装置で前記体験記録情報を読み出す工程と、
（ｇ）再現信号処理装置で、前記体験記録情報を、前記記録情報、前記集録環境情報、及び前記集録者情報に分解する工程と、
（ｈ）映像音声再生装置で、前記記録情報を再生する工程と、
（ｉ）再生されている前記記録情報を閲覧者が鑑賞する際に、前記記録情報に同期している前記集録環境情報に対応して閲覧環境を設定し、集録環境を再現する工程と、
　を有することを特徴とする体験記録情報処理方法。
【請求項２５】
　記録情報及び記録情報を集録中における集録者の体感検出情報を記録し、かつ、再現するための情報記録媒体にあって、
　集録による記録情報のデータ構造と、
　前記集録中の体感検出情報のデータ構造と、
を有し、前記体感検出情報は、集録環境情報及び集録者情報を含むデータが記録されたコンピュータ読み取り可能な情報記録媒体。
【請求項２６】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ｊ）請求項２５に記載の情報記録媒体から体験記録情報を読み出す工程と、
（ｇ）再現信号処理装置で、前記体験記録情報を、前記記録情報、前記集録環境情報、及び前記集録者情報に分解する工程と、
（ｈ）映像音声再生装置で、前記記録情報を再生する工程と、
（ｉ）再生されている前記記録情報を閲覧者が鑑賞する際に、前記記録情報に同期している前記集録環境情報に対応して閲覧環境を設定し、集録環境を再現する工程と、
　を有することを特徴とする体験記録情報処理方法。
【請求項２７】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ａ）前記撮影集音装置で集録対象の記録情報を集録する工程と、
（ｂ）前記撮影集音装置で記録情報を集録中の集録環境情報を、前記体感情報検出装置に備えられた集録環境情報収集部で収集し、かつ記録する工程と、
（ｃ）前記撮影集音装置で記録情報を集録中の集録者情報を前記体感情報検出装置に備えられた集録者情報収集部で収集し、かつ記録する工程と、
（ｄ）前記記録情報、前記集録環境情報、及び前記集録者情報を同期させて、記録信号処理装置で体験記録情報として合成する工程と、
（ｅ）前記体験記録情報を信号記録装置で記録する工程と、
（ｋ）前記体験記録情報を双方向通信ネットワーク上の装置に格納する工程と、
　を有することを特徴とする体験記録情報処理方法。
【請求項２８】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ｌ）双方向通信ネットワーク上の装置に予め格納された体験記録情報を双方向通信ネットワーク上の装置から取り込む工程と、
（ｇ）再現信号処理装置で、前記体験記録情報を、前記記録情報、前記集録環境情報、及び前記集録者情報に分解する工程と、
（ｈ）映像音声再生装置で、前記記録情報を再生する工程と、
（ｉ）再生されている前記記録情報を閲覧者が鑑賞する際に、前記記録情報に同期している前記集録環境情報に対応して閲覧環境を設定し、集録環境を再現する工程と、
　を有することを特徴とする体験記録情報処理方法。
【請求項２９】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ａ）前記撮影集音装置で集録対象の記録情報を集録する工程と、
（ｂ）前記撮影集音装置で記録情報を集録中の集録環境情報を、前記体感情報検出装置に備えられた集録環境情報収集部で収集し、かつ記録する工程と、
（ｃ）前記撮影集音装置で記録情報を集録中の集録者情報を前記体感情報検出装置に備えられた集録者情報収集部で収集し、かつ記録する工程と、
（ｄ）前記記録情報、前記集録環境情報、及び前記集録者情報を同期させて、記録信号処理装置で体験記録情報として合成する工程と、
（ｅ）前記体験記録情報を信号記録装置で記録する工程と、
（ｋ）前記体験記録情報を双方向通信ネットワーク上の装置に格納する工程と、
（ｍ）この格納した体験記録情報の格納依頼に対する対価決済を、双方向通信ネットワークを通じて、格納を行う側が格納を依頼する側に支払う工程と、
　を有することを特徴とする体験記録情報処理方法。
【請求項３０】
　撮影集音装置での記録情報の集録、体感情報検出装置での集録環境情報及び集録者情報を含む体感検出情報の記録、並びに、通信・再現システムでの前記記録情報及び前記体感検出情報の体験記録情報としての記録及び再現、を行う体験記録情報処理方法にあって、
（ｌ）双方向通信ネットワーク上の装置に予め格納された体験記録情報を双方向通信ネットワーク上の装置から取り込む工程と、
（ｎ）この取り込みに対する体験記録情報の対価決済を取り込み側が双方向通信ネットワークを通じて支払う工程と、
　を有することを特徴とする体験記録情報処理方法。
【請求項３１】
　請求項２４、２６及び２８のいずれか一項に記載の体験記録情報処理方法において、
　前記（ｉ）工程は、
　前記映像音声再生装置で前記記録情報を再生中の閲覧者情報を、体感情報検出装置に備えられた閲覧者情報収集部で収集し、かつ記録する工程と、
　前記閲覧者情報に基づく閲覧者興奮度が、前記集録者情報に基づく集録者興奮度に近づくように閲覧環境を設定し、集録環境を再現する工程と
　を含むことを特徴とする体験記録情報処理方法。
【請求項３２】
　請求項２４、２６及び２８のいずれか一項に記載の体験記録情報処理方法において、
　前記（ｉ）工程は、
　前記映像音声再生装置で前記記録情報を再生中の閲覧者情報を、体感情報検出装置に備えられた閲覧者情報収集部で収集し、かつ記録する工程と、
　前記集録者情報に基づく集録者興奮度を、閲覧者の要求に応じて再設定し、
　前記閲覧者情報に基づく閲覧者興奮度が、再設定された前記集録者興奮度に近づくように閲覧環境を設定し、集録環境を再現する工程と
　を含むことを特徴とする体験記録情報処理方法。
【請求項３３】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　集録対象の記録情報を集録する集録手段と、
　前記集録手段で記録情報を集録中の集録環境情報を収集し、かつ記録する集録環境情報収集手段と、
　前記集録手段で記録情報を集録中の集録者情報を収集し、かつ記録する集録者情報収集手段と、
　前記記録情報、前記集録環境情報、及び前記集録者情報を同期させて体験記録情報として合成する記録信号処理手段と、
　前記体験記録情報を記録する信号記録手段と
　を有することを特徴とする体験記録情報処理通信システム。
【請求項３４】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　集録対象の記録情報を集録する集録手段と、
　前記集録手段で記録情報を集録中の集録環境情報を収集し、かつ記録する集録環境情報収集手段と、
　前記集録手段で記録情報を集録中の集録者情報を収集し、かつ記録する集録者情報収集手段と、
　前記記録情報、前記集録環境情報、及び前記集録者情報を同期させて体験記録情報として合成する記録信号処理手段と、
　前記体験記録情報を記録する信号記録手段と
　前記体験記録情報を読み出す信号読み出し手段と、
　前記体験記録情報を、前記記録情報、前記集録環境情報、及び前記集録者情報に分解する再現信号処理手段と、
　前記記録情報を再生する記録情報再生手段と、
　再生されている前記記録情報を閲覧者が鑑賞する際に、前記記録情報に同期している前記集録環境情報に対応して、閲覧環境を設定し、集録環境を再現する閲覧環境設定手段と
　を有することを特徴とする体験記録情報処理通信システム。
【請求項３５】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　請求項２５に記載の情報記録媒体から体験記録情報を読み出す入出力手段と、
　前記体験記録情報を、前記記録情報、前記集録環境情報、及び前記集録者情報に分解する再現信号処理手段と、
　前記記録情報を再生する記録情報再生手段と、
　再生されている前記記録情報を閲覧者が鑑賞する際に、前記記録情報に同期している前記集録環境情報に対応して、閲覧環境を設定し、集録環境を再現する閲覧環境設定手段と
　を有することを特徴とする体験記録情報処理通信システム。
【請求項３６】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　集録対象の記録情報を集録する集録手段と、
　前記集録手段で記録情報を集録中の集録環境情報を収集し、かつ記録する集録環境情報収集手段と、
　前記集録手段で記録情報を集録中の集録者情報を収集し、かつ記録する集録者情報収集手段と、
　前記記録情報、前記集録環境情報、及び前記集録者情報を同期させて体験記録情報として合成する記録信号処理手段と、
　前記体験記録情報を記録する信号記録手段と、
　前記体験記録情報を双方向通信ネットワーク上の装置に転送して格納する通信手段と、
　を有することを特徴とする体験記録情報処理通信システム。
【請求項３７】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　双方向通信ネットワーク上の装置に予め格納された体験記録情報を双方向通信ネットワーク上の装置から取り込む通信手段と、
　前記体験記録情報を読み出す信号読み出し手段と、
　前記体験記録情報を、前記記録情報、前記集録環境情報、及び前記集録者情報に分解する再現信号処理手段と、
　前記記録情報を再生する記録情報再生手段と、
　再生されている前記記録情報を閲覧者が鑑賞する際に、前記記録情報に同期している前記集録環境情報に対応して、閲覧環境を設定し、集録環境を再現する閲覧環境設定手段と
　を有することを特徴とする体験記録情報処理通信システム。
【請求項３８】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　集録対象の記録情報を集録する集録手段と、
　前記集録手段で記録情報を集録中の集録環境情報を収集し、かつ記録する集録環境情報収集手段と、
　前記集録手段で記録情報を集録中の集録者情報を収集し、かつ記録する集録者情報収集手段と、
　前記記録情報、前記集録環境情報、及び前記集録者情報を同期させて体験記録情報として合成する記録信号処理手段と、
　前記体験記録情報を記録する信号記録手段と
　前記体験記録情報を双方向通信ネットワーク上の装置に転送して格納する通信手段と
　前記通信手段が格納した体験記録情報に対する対価決済を、双方向通信ネットワークを通じて、格納を依頼する側の装置に支払うための決済通信手段と、
　を有することを特徴とする体験記録情報処理通信システム。
【請求項３９】
　記録情報の集録、集録環境情報及び集録者情報を含む体感検出情報の記録、前記記録情報及び前記体感検出情報の体験記録情報としての記録、並びに、前記体験記録情報の再現、を行う体験記録情報処理通信システムにあって、
　双方向通信ネットワーク上の装置に予め格納された体験記録情報を双方向通信ネットワーク上の装置から取り込む通信手段と、
　前記通信手段からの体験記録情報に対する対価決済を、前記双方向通信ネットワークを通じて支払うための決済通信手段と、
　を有することを特徴とする体験記録情報処理通信システム。
【請求項４０】
　請求項３４、３５及び３７のいずれか一項に記載の体験記録情報処理通信システムにおいて、
　前記記録情報再生手段で前記記録情報を再生中の閲覧者情報を収集し、かつ記録する閲覧者情報収集手段と、
　前記閲覧者情報に基づく閲覧者興奮度が、前記集録者情報に基づく集録者興奮度に近づくように閲覧環境を設定し、集録環境を再現する閲覧環境設定手段と
　を含むことを特徴とする体験記録情報処理通信システム。
【請求項４１】
　請求項３４、３５及び３７のいずれか一項に記載の体験記録情報処理通信システムにおいて、
　前記記録情報再生手段で前記記録情報を再生中の閲覧者情報を収集し、かつ記録する閲覧者情報収集手段と、
　前記集録者情報に基づく集録者興奮度を、閲覧者の要求に応じて再設定する入力手段と、
　前記閲覧者情報に基づく閲覧者興奮度が、再設定された前記集録者情報に基づく集録者興奮度に近づくように閲覧環境を設定し、集録環境を再現する閲覧環境設定手段と、
　を含むことを特徴とする体験記録情報処理通信システム。
【請求項４２】
　集録対象の記録情報を集録する手順と、
　前記集録手段で記録情報を集録中の集録環境情報を収集し、かつ記録する手順と、
　前記集録手段で記録情報を集録中の集録者情報を収集し、かつ記録する手順と、
　前記記録情報、前記集録環境情報、及び前記集録者情報を同期させて体験記録情報として合成する手順と、
　前記体験記録情報を記録する手順と、
　をコンピュータに実行させるためのプログラム。
【請求項４３】
　集録対象の記録情報を集録する手順と、
　前記集録手段で記録情報を集録中の集録環境情報を収集し、かつ記録する手順と、
　前記集録手段で記録情報を集録中の集録者情報を収集し、かつ記録する手順と、
　前記記録情報、前記集録環境情報、及び前記集録者情報を同期させて体験記録情報として合成する手順と、
　前記体験記録情報を記録する手順と、
　前記体験記録情報を読み出す手順と、
　前記体験記録情報を、前記記録情報、前記集録環境情報、及び前記集録者情報に分解する手順と、
　前記記録情報を再生する手順と、
　再生されている前記記録情報を閲覧者が鑑賞する際に、前記記録情報に同期している前記集録環境情報に対応して、閲覧環境を設定し、集録環境を再現する手順と、
　をコンピュータに実行させるためのプログラム。
【請求項４４】
　請求項２５に記載の情報記録媒体から体験記録情報を読み出す手順と、
　前記体験記録情報を、前記記録情報、前記集録環境情報、及び前記集録者情報に分解する手順と、
　前記記録情報を再生する手順と、
　再生されている前記記録情報を閲覧者が鑑賞する際に、前記記録情報に同期している前記集録環境情報に対応して、閲覧環境を設定し、集録環境を再現する手順と、
　をコンピュータに実行させるためのプログラム。
【請求項４５】
　集録対象の記録情報を集録する手順と、
　前記集録手段で記録情報を集録中の集録環境情報を収集し、かつ記録する手順と、
　前記集録手段で記録情報を集録中の集録者情報を収集し、かつ記録する手順と、
　前記記録情報、前記集録環境情報、及び前記集録者情報を同期させて体験記録情報として合成する手順と、
　前記体験記録情報を記録する手順と、
　前記体験記録情報を双方向通信ネットワーク上の装置に転送して格納する手順と、
　をコンピュータに実行させるためのプログラム。
【請求項４６】
　双方向通信ネットワーク上の装置に予め格納された体験記録情報を双方向通信ネットワーク上の装置から取り込む手順と、
　前記体験記録情報を読み出す手順と、
　前記体験記録情報を、前記記録情報、前記集録環境情報、及び前記集録者情報に分解する手順と、
　前記記録情報を再生する手順と、
　再生されている前記記録情報を閲覧者が鑑賞する際に、前記記録情報に同期している前記集録環境情報に対応して、閲覧環境を設定し、集録環境を再現する手順と、
　をコンピュータに実行させるためのプログラム。
【請求項４７】
　集録対象の記録情報を集録する手順と、
　前記集録手段で記録情報を集録中の集録環境情報を収集し、かつ記録する手順と、
　前記集録手段で記録情報を集録中の集録者情報を収集し、かつ記録する手順と、
　前記記録情報、前記集録環境情報、及び前記集録者情報を同期させて体験記録情報として合成する手順と、
　前記体験記録情報を記録する手順と、
　前記体験記録情報を双方向通信ネットワーク上の装置に転送して格納する手順と、
　前記通信手段が格納した体験記録情報に対する対価決済を、双方向通信ネットワークを通じて、格納を依頼する側の装置に支払うための手順と、
　をコンピュータに実行させるためのプログラム。
【請求項４８】
　双方向通信ネットワーク上の装置に予め格納された体験記録情報を双方向通信ネットワーク上の装置から取り込む手順と、
　前記通信手段からの体験記録情報に対する対価決済を、前記双方向通信ネットワークを通じて支払うための手順と、
　をコンピュータに実行させるためのプログラム。
【請求項４９】
　請求項４３、４４及び４６のいずれか一項に記載のプログラムにおいて、
　前記記録情報を再生中の閲覧者情報を収集し、かつ記録する手順と、
　前記閲覧者情報に基づく閲覧者興奮度が、前記集録者情報に基づく集録者興奮度に近づくように閲覧環境を設定し、集録環境を再現する手順と、
　をコンピュータに実行させるためのプログラム。
【請求項５０】
　請求項４３、４４及び４６のいずれか一項に記載のプログラムにおいて、
　前記記録情報を再生中の閲覧者情報を収集し、かつ記録する手順と、
　前記集録者情報に基づく集録者興奮度を、閲覧者の要求に応じて再設定する手順と、
　前記閲覧者情報に基づく閲覧者興奮度が、再設定された前記集録者興奮度に近づくように閲覧環境を設定し、集録環境を再現する手順と、
　をコンピュータに実行させるためのプログラム。
【発明の詳細な説明】
【技術分野】
【０００１】
　本発明は撮影集音装置（例えば、ビデオテープレコーダ（ＶＴＲ））などで対象（例えば、テーマパークアトラクション、カーレースの前方走行状態、登山行程、ゲームセンタープレイ）の記録情報の集録かつ再現及び体感検出情報を記録かつ再現を行うための体験記録情報処理方法とその通信システム及び情報記録媒体並びにプログラムに関する。
【０００２】
　なお、本発明でいう記録情報とは、撮像と集音の一方又は双方であり、また、体感検出情報は集録者（この後で説明する近傍者を含む）の加速度を含む集録環境情報と心拍数を含む集録者情報とから設定に応じて選択した情報である。この記録情報と体感検出情報を合せて、適宜「体験記録情報」と表記する。
【背景技術】
【０００３】
　従来、映画館、テーマパーク、ゲームセンター等では、閲覧者が鑑賞している画像、発生音の情報内容（コンテンツ）に対応して、着座している電動椅子が変位（例えば、振動）して、その鑑賞効果を高めることが行われている。
【０００４】
　例えば、テーマパークのアトラクションを映像で鑑賞する場合、そのコンテンツに対応して、閲覧者が着座している電動椅子の全体が振動し、かつ、その振動の強弱を変化させている。カーレースの前方走行状態を映像で鑑賞する場合、電動椅子を走行速度に対応して、その振動の強弱を微妙に変化させている。また、登山では、その行程中の風の強弱に対応して電動椅子の振動を変化させている。
【０００５】
　この種のコンテンツ及び電子システムは、映画館、テーマパーク、ゲームセンターなどを対象とする業務用（営業用）として使用されているのが一般的であるが、受信した画像に対応した揺動信号を生成し、かつ、この揺動信号を変換する提案がなされている（例えば、特許文献１参照）。
【０００６】
　さらに、画像、発生音の他に、温度計、湿度計、風向風速計、色温度照度計、傾斜計、加速度計及び方向計からの温度、湿度、風向、風速、色温度、照度、傾斜、加速度及び方向の環境情報を記録することにより、再生時に画像、発生音と共に、集録時の温度及び湿度の情報に基づきエアコンディショナーを、風向及び風速の情報に基づき送風機を、色温度、照度の情報に基づき照明燈を、また、傾斜及び加速度の情報に基づき伸縮自在な支柱を、制御することで、画像及び発生音が集録された状況を再現する提案もなされている（例えば、特許文献２参照）。
【特許文献１】特開２００２−３５４３７号公報「情報処理装置及び方法、並びに揺動提示システム」（段落番号０００８から段落番号００１５）
【特許文献２】特開平９−２０５６０７号公報「ビデオ記録装置および再生装置」（図１、図３、図４）
【発明の開示】
【発明が解決しようとする課題】
【０００７】
　このように上記従来例のコンテンツ及び電子システムは、映画館、テーマパーク、ゲームセンターなどの業務用（営業用）としてのみ使用されるものである。この場合、画像、集音、及び電動椅子の動作などの仕様及びコンテンツのデータフォーマットなどは公表されていない。
【０００８】
　したがって、これらを参考にした電動椅子の駆動制御（例えば、振動の強弱）や、コンテンツの個人的な作成が困難であった。換言すれば、テーマパークアトラクションなどの記録情報（撮像及び集音）を個人的に（例えば、家庭内で）、容易かつ確実に閲覧者が鑑賞できないという欠点があった。
【０００９】
　また、特許文献１の例は、受信した画像に対応した揺動信号を生成し、かつ、この揺動信号を変換するものであり、撮像と集音の記録情報の集録かつ集録者の加速度及び心拍数の体感検出情報の記録及び再現は、個人で容易かつ確実にはできるものではない。
【００１０】
　特許文献２の例では、集録者が集録を行った環境において、集録者の心拍数等の体感検出情報を記録していないため、集録時の臨場感を後日体験するとき、又は、第三者に体験させるときに、正確に再現できないという問題点がある。
【００１１】
　本発明は、上記事情に鑑み、撮像と集音の記録情報の集録かつ集録者の加速度及び心拍数の体感検出情報の記録かつ再現が個人でも容易かつ確実に出来るようになる、体験記録情報処理方法とその通信システム及び情報記録媒体並びにプログラムを提供することを第１の目的とする。
【００１２】
　本発明は、集録者等の心拍数等の体感検出情報に加えて、環境情報の記録及び再現を行うことで、集録時の臨場感をより正確に再現する体験記録情報処理方法とその通信システム及び情報記録媒体並びにプログラムを提供することを第２の目的とする。
【００１３】
　さらに、本発明は、体験記録情報が公衆通信ネットワーク（例えば、ＴＣＰ／ＩＰネットワークのサイト／ホームページ）を通じて提供できるようになり、特に個人での、より広範囲な体験記録情報の利用が可能になる、体験記録情報処理方法とその通信システム及び情報記録媒体並びにプログラムを提供することを第３の目的とする。
【００１４】
　また、本発明は、体験記録情報が公衆通信ネットワークを通じて有料提供できるようになって、その収益が得られるようになる、体験記録情報処理方法とその通信システム及び情報記録媒体並びにプログラムを提供することを第４の目的とする。
【課題を解決するための手段】
【００１５】
　上記第１の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、撮影集音装置で撮影対象の記録情報を集録する工程と、撮影集音装置での記録情報を集録中の体感検出情報を体感情報検出装置で記録する工程とを有する。
【００１６】
　上記第１の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、撮影集音装置で撮影対象の記録情報を集録する工程と、撮影集音装置での記録情報を集録中の体感検出情報を体感情報検出装置で記録する工程と、通信・再現システムで記録情報を再現する工程と、再現される記録情報を閲覧者が鑑賞する際に、記録情報の集録中に記録された体感検出情報に対応して、閲覧者が接触する電動用具が変位する工程とを有する。
【００１７】
　上記第１の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、撮影集音装置での撮影対象の記録情報とともに、この記録情報の集録者の体感検出情報を記録した情報記録媒体から記録情報を再生する工程と、再生した記録情報を通信・再現システムで再現する工程と、再現される記録情報を閲覧者が鑑賞する際に、記録情報の集録中に記録された体感検出情報に対応して、閲覧者が接触する電動用具が変位する工程とを有する。
【００１８】
　上記第３の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、撮影集音装置で撮影対象の記録情報を集録する工程と、記録情報の集録中における集録者の体感検出情報を体感情報検出装置で記録する工程と、記録情報及び体感検出情報を双方向通信ネットワーク上の装置に格納する工程とを有する。
【００１９】
　上記第３の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、双方向通信ネットワーク上の装置に予め格納された記録情報及び体感検出情報を双方向通信ネットワーク上の装置から取り込む工程と、通信・再現システムで記録情報を再現する工程と、再現される記録情報を閲覧者が鑑賞する際に、記録情報の集録中に記録された体感検出情報に対応して、閲覧者が接触する電動用具が変位する工程とを有する。
【００２０】
　上記第４の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、撮影集音装置で撮影対象の記録情報を集録する工程と、記録情報の集録中における集録者の体感検出情報を体感情報検出装置で記録する工程と、集録した記録情報及び記録した体感検出情報を双方向通信ネットワーク上の装置に格納する工程と、この格納した記録情報及び体感検出情報の格納依頼に対する対価決済を双方向通信ネットワークを通じて、格納を行う側が格納を依頼する側に支払う工程とを有する。
【００２１】
　上記第４の目的を達成する本発明の体験記録情報処理方法は、撮影集音装置での記録情報の集録かつ体感情報検出装置での体感検出情報の記録と記録情報及び体感検出情報を通信・再現システムで再現するためのものであり、双方向通信ネットワーク上の装置に予め格納された記録情報及び体感検出情報を双方向通信ネットワーク上の装置から取り込む工程と、この取り込みに対する記録情報及び体感検出情報の対価決済を取り込み側が双方向通信ネットワークを通じて支払う工程とを有する。
【００２２】
　上記第１の目的を達成する本発明の体験記録情報処理通信システムは、記録情報の集録かつ体感検出情報の記録と記録情報及び体感検出情報を再現するためのものであり、撮影対象の記録情報を集録する集録手段と、集録手段での集録中における集録者の体感検出情報を記録する検出記録手段とを備える。
【００２３】
　また、上記第１の目的を達成する本発明の体験記録情報処理通信システムは、記録情報の集録かつ体感検出情報の記録と記録情報及び体感検出情報を再現するためのものであり、撮影対象の記録情報を集録する集録手段と、集録手段での集録中における集録者の体感検出情報を記録する検出記録手段と、集録手段での記録情報を再現する再現手段と、再現手段で再現される記録情報を閲覧者が鑑賞する際に、記録情報の集録中に記録された体感検出情報に対応して、閲覧者が接触し、かつ、変位する電動用具とを備える。
【００２４】
　さらに、上記第１の目的を達成する本発明の体験記録情報処理通信システムは、記録情報の集録かつ体感検出情報の記録と記録情報及び体感検出情報を再現するためのものであり、集録した撮影対象の記録情報及び、この記録情報の集録中における体感検出情報を記録した情報記録媒体と、情報記録媒体の記録情報を再生する再生手段と、再生手段から記録情報を再現する再現手段と、再現手段で再現される記録情報を閲覧者が鑑賞する際に、記録情報の集録中に記録された体感検出情報に対応して、閲覧者が接触し、かつ、変位する電動用具とを備える。
【００２５】
　また、上記第３の目的を達成する本発明の体験記録情報処理通信システムは、記録情報の集録かつ体感検出情報の記録と前記記録情報及び前記体感検出情報を再現するためのものであり、撮影対象の記録情報を集録する集録手段と、前記集録手段での集録中における集録者の体感検出情報を記録する検出記録手段と、前記集録手段及び検出記録手段からの記録情報及び体感検出情報を双方向通信ネットワーク上の装置に転送して格納する通信手段とを備える。
【００２６】
　さらに、上記第３の目的を達成する本発明の体験記録情報処理通信システムは、記録情報の集録かつ体感検出情報の記録と記録情報及び体感検出情報を再現するためのものであり、双方向通信ネットワーク上の装置に予め格納された記録情報及び体感検出情報を双方向通信ネットワーク上の装置に転送を要求して取り込むための通信手段と、通信手段で取り込んだ記録情報を再現する再現手段と、再現手段で再現される記録情報を閲覧者が鑑賞する際に、記録情報の集録中に記録された体感検出情報に対応して、閲覧者が接触し、かつ、変位する電動用具とを備える。
【００２７】
　さらに、上記第４の目的を達成する本発明の体験記録情報処理通信システムは、記録情報の集録かつ体感検出情報の記録と記録情報及び体感検出情報を再現するためのものであり、撮影対象の記録情報を集録する集録手段と、集録手段での集録中における集録者の体感検出情報を記録する検出記録手段と、集録手段及び検出記録手段からの記録情報及び体感検出情報を双方向通信ネットワーク上の装置に転送して格納するための通信手段と、通信手段が格納した記録情報及び体感検出情報に対する対価決済を、双方向通信ネットワークを通じて、格納を依頼する側の装置に支払うための決済通信手段とを備える。
【００２８】
　さらに、上記第４の目的を達成する本発明の体験記録情報処理通信システムは、記録情報の集録かつ体感検出情報の記録と記録情報及び体感検出情報を再現するためのものであり、双方向通信ネットワーク上の装置に予め格納された記録情報及び体感検出情報を双方向通信ネットワーク上の装置から取り込むための通信手段と、通信手段からの記録情報及び体感検出情報に対する対価決済を、双方向通信ネットワークを通じて支払うための決済通信手段とを備える。
【００２９】
　上記第１、第３及び第４の目的を達成する本発明の情報記録媒体は、記録情報及び記録情報の集録中における集録者の体感検出情報を記録し、かつ、再現するためのものであり、撮影による記録情報のデータ構造と、撮影中の体感検出情報のデータ構造とを有している。
【００３０】
　上記第１の目的を達成する本発明のプログラムは、撮影対象の記録情報を集録する手順と、記録情報の集録中における集録者の体感検出情報を記録する手順との制御をコンピュータに実行させるものである。
【００３１】
　また、上記第１の目的を達成する本発明のプログラムは、撮影対象の記録情報を集録する手順と、記録情報の集録中における集録者の体感検出情報を記録する手順と、記録情報を再現する手順と、再現される記録情報を閲覧者が鑑賞する際に、記録情報の集録中に記録された体感検出情報に対応して、閲覧者が接触する電動用具が変位する手順との制御をコンピュータに実行させるものである。
【００３２】
　さらに、上記第１の目的を達成する本発明のプログラムは、撮影対象の記録情報とともに、この記録情報の集録者の体感検出情報を記録した情報記録媒体から記録情報を再現する手順と、再現される記録情報を閲覧者が鑑賞する際に、記録情報の集録中に記録された体感検出情報に対応して、閲覧者が接触する電動用具が変位する手順との制御をコンピュータに実行させるためのものである。
【００３３】
　また、上記第３の目的を達成する本発明のプログラムは、撮影対象の記録情報を集録する手順と、記録情報の集録中における集録者の体感検出情報を記録する手順と、記録情報及び体感検出情報を双方向通信ネットワーク上の装置に格納する手順との制御をコンピュータに実行させるためのものである。
【００３４】
　さらに、上記第３の目的を達成する本発明のプログラムは、双方向通信ネットワーク上の装置に予め格納された記録情報及び体感検出情報を双方向通信ネットワーク上の装置から取り込む手順と、記録情報を再現する手順と、再現される記録情報を閲覧者が鑑賞する際に、記録情報の集録中に記録された体感検出情報に対応して、閲覧者が接触する電動用具が変位する手順との制御をコンピュータに実行させるためのものである。
【００３５】
　また、上記第４の目的を達成する本発明のプログラムは、撮影対象の記録情報を集録する手順と、記録情報の集録中における集録者の体感検出情報を記録する手順と、集録した記録情報及び記録した体感検出情報を双方向通信ネットワーク上の装置に格納する手順と、この格納した記録情報及び体感検出情報の格納依頼に対する対価決済を双方向通信ネットワークを通じて、格納を行う側が格納を依頼する側に支払う手順との制御をコンピュータに実行させるためのものである。
【００３６】
　さらに、上記第４の目的を達成する本発明のプログラムは、双方向通信ネットワーク上の装置に予め格納された記録情報及び体感検出情報を双方向通信ネットワーク上の装置から取り込む手順と、この取り込みに対する記録情報及び体感検出情報の対価決済を取り込み側が双方向通信ネットワークを通じて支払う手順との制御をコンピュータに実行せるためのものである。
【００３７】
　上記第１及び第２の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、撮影集音装置で集録対象の記録情報を集録する工程と、撮影集音装置で記録情報を集録中の、集録環境情報を体感情報検出装置に備えられた集録環境情報収集部で収集し、かつ記録する工程と、撮影集音装置で記録情報を集録中の集録者情報を体感情報検出装置に備えられた集録者情報収集部で収集し、かつ記録する工程と、記録情報、集録環境情報、及び集録者情報を同期させて、記録信号処理装置で体験記録情報として合成する工程と、体験記録情報を信号記録装置で記録する工程とを有する。
【００３８】
　上記第１及び第２の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、撮影集音装置で集録対象の記録情報を集録する工程と、撮影集音装置で記録情報を集録中の、集録環境情報を体感情報検出装置に備えられた集録環境情報収集部で収集し、かつ記録する工程と、撮影集音装置で記録情報を集録中の集録者情報を体感情報検出装置に備えられた集録者情報収集部で収集し、かつ記録する工程と、記録情報、集録環境情報、及び集録者情報を同期させて、記録信号処理装置で体験記録情報として合成する工程と、体験記録情報を信号記録装置で記録する工程と、信号読み出し装置で体験記録情報を読み出す工程と、再現信号処理装置で、体験記録情報を、記録情報、集録環境情報、及び集録者情報に分解する工程と、映像音声再生装置で、記録情報を再生する工程と、再生されている記録情報を閲覧者が鑑賞する際に、記録情報に同期している集録環境情報に対応して、閲覧環境を設定する工程とを有する。
【００３９】
　上記第１、第２、第３及び第４の目的を達成する本発明の情報記録媒体は、記録情報、この集録中における集録者の体感検出情報、及び集録中における集録環境情報を記録し、かつ、再現するためのものであり、撮影による記録情報のデータ構造と、撮影中の体感検出情報のデータ構造とを有している。
【００４０】
　上記第１及び第２の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、情報記録媒体から体験記録情報を読み出す工程と、再現信号処理装置で、体験記録情報を、記録情報、集録環境情報、及び集録者情報に分解する工程と、映像音声再生装置で、記録情報を再生する工程と、再生されている記録情報を閲覧者が鑑賞する際に、記録情報に同期している集録環境情報に対応して、閲覧環境を設定する工程とを有する。
【００４１】
　上記第２及び第３の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、撮影集音装置で集録対象の記録情報を集録する工程と、撮影集音装置で記録情報を集録中の、集録環境情報を体感情報検出装置に備えられた集録環境情報収集部で収集し、かつ記録する工程と、撮影集音装置で記録情報を集録中の集録者情報を体感情報検出装置に備えられた集録者情報収集部で収集し、かつ記録する工程と、記録情報、集録環境情報、及び集録者情報を同期させて、記録信号処理装置で体験記録情報として合成する工程と、体験記録情報を信号記録装置で記録する工程と、体験記録情報を双方向通信ネットワーク上の装置に格納する工程とを有する。
【００４２】
　この発明の体験記録情報処理方法では、撮像と集音の記録情報の集録かつ集録者の加速度及び心拍数等の集録者情報、温度、湿度等の集録環境情報の記録及び再現が個人でも容易かつ確実に出来るようになる。
【００４３】
　上記第２及び第３の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、双方向通信ネットワーク上の装置に予め格納された体験記録情報を双方向通信ネットワーク上の装置から取り込む工程と、再現信号処理装置で、体験記録情報を、記録情報、集録環境情報、及び集録者情報に分解する工程と、映像音声再生装置で、記録情報を再生する工程と、再生されている記録情報を閲覧者が鑑賞する際に、記録情報に同期している集録環境情報に対応して、閲覧環境を設定する工程とを有する。
【００４４】
　この発明の体験記録情報処理方法では、撮像と集音の記録情報の集録かつ集録者の加速度及び心拍数等の集録者情報、温度、湿度等の集録環境情報の記録及び再現が個人でも容易かつ確実に出来るようになる。
【００４５】
　上記第２及び第４の目的を達成する本発明の体験記録情報処理方法は、撮影集音装置での記録情報の集録、体感情報検出装置での集録環境情報及び撮影者情報を含む体感検出情報の記録、並びに、通信・再現システムでの記録情報及び体感検出情報の体験記録情報としての記録及び再現、を行うためのものであり、撮影集音装置で集録対象の記録情報を集録する工程と、撮影集音装置で記録情報を集録中の、集録環境情報を体感情報検出装置に備えられた集録環境情報収集部で収集し、かつ記録する工程と、撮影集音装置で記録情報を集録中の集録者情報を体感情報検出装置に備えられた集録者情報収集部で収集し、かつ記録する工程と、記録情報、集録環境情報、及び集録者情報を同期させて、記録信号処理装置で体験記録情報として合成する工程と、体験記録情報を信号記録装置で記録する工程と、体験記録情報を双方向通信ネットワーク上の装置に格納する工程と、この格納した体験記録情報の格納依頼に対する対価決済を、双方向通信ネットワークを通じて、格納を行う側が格納を依頼する側に支払う工程とを有する。
【００４６】
　この発明の体験記録情報処理方法では、撮像と集音の記録情報の集録かつ集録者の心拍数等の集録者情報、並びに、温度、湿度、加速度等の集録環境情報の記録及び再現が個人でも容易かつ確実に出来るようになる。
【００４７】
　上記第２及び第４の目的を達成する本発明の体験記録情報処理方法は、撮影集音装置での記録情報の集録、体感情報検出装置での集録環境情報及び集録者情報を含む体感検出情報の記録、並びに、通信・再現システムでの記録情報及び体感検出情報の体験記録情報としての記録及び再現、を行うためのものであり、双方向通信ネットワーク上の装置に予め格納された体験記録情報を双方向通信ネットワーク上の装置から取り込む工程と、この取り込みに対する体験記録情報の対価決済を取り込み側が双方向通信ネットワークを通じて支払う工程とを有する。
【００４８】
　この発明の体験記録情報処理方法では、撮像と集音の記録情報の集録かつ集録者の心拍数等の集録者情報、並びに、温度、湿度、加速度等の集録環境情報の記録及び再現が個人でも容易かつ確実に出来るようになる。
【００４９】
　この発明の体験記録情報処理の閲覧環境を設定する工程において、映像音声再生装置で記録情報を再生中の閲覧者情報を体感情報検出装置に備えられた閲覧者情報収集部で収集し、かつ記録する工程と、閲覧者情報に基づく閲覧者興奮度が、前記集録者情報に基づく集録者興奮度に近づくように閲覧環境を設定する工程とを含むのが好適である。
【００５０】
　この工程を含むことで、集録時の臨場感をより正確に再現できる。
【００５１】
　この発明の体験記録情報処理の閲覧環境を設定する工程において、映像音声再生装置で記録情報を再生中の閲覧者情報を体感情報検出装置に備えられた閲覧者情報収集部で収集し、かつ記録する工程と、集録者情報に基づく集録者興奮度を、閲覧者の要求に応じて再設定し、閲覧者情報に基づく閲覧者興奮度が、再設定された集録者興奮度に近づくように閲覧環境を設定する工程とを含むのが好適である。
【００５２】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、集録対象の記録情報を集録する集録手段と、集録手段で記録情報を集録中の集録環境情報を収集し、かつ記録する集録環境情報収集手段と、集録手段で記録情報を集録中の集録者情報を収集し、かつ記録する集録者情報収集手段と、記録情報、集録環境情報、及び集録者情報を同期させて体験記録情報として合成する記録信号処理手段と、体験記録情報を記録する信号記録手段とを有する。
【００５３】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、集録対象の記録情報を集録する集録手段と、集録手段で記録情報を集録中の集録環境情報を収集し、かつ記録する集録環境情報収集手段と、集録手段で記録情報を集録中の集録者情報を収集し、かつ記録する集録者情報収集手段と、記録情報、集録環境情報、及び集録者情報を同期させて体験記録情報として合成する記録信号処理手段と、体験記録情報を記録する信号記録手段と、体験記録情報を読み出す信号読み出し手段と、体験記録情報を、記録情報、集録環境情報、及び集録者情報に分解する再現信号処理手段と、記録情報を再生する記録情報再生手段と、再生されている記録情報を閲覧者が鑑賞する際に、記録情報に同期している集録環境情報に対応して、閲覧環境を設定し、集録環境を再現する閲覧環境設定手段とを有する。
【００５４】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、情報記録媒体から体験記録情報を読み出す入出力手段と、体験記録情報を、記録情報、集録環境情報、及び集録者情報に分解する再現信号処理手段と、記録情報を再生する記録情報再生手段と、再生されている記録情報を閲覧者が鑑賞する際に、記録情報に同期している集録環境情報に対応して、閲覧環境を設定し、集録環境を再現する閲覧環境設定手段とを有する。
【００５５】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、集録対象の記録情報を集録する集録手段と、集録手段で記録情報を集録中の集録環境情報を収集し、かつ記録する集録環境情報収集手段と、集録手段で記録情報を集録中の集録者情報を収集し、かつ記録する集録者情報収集手段と、記録情報、集録環境情報、及び集録者情報を同期させて体験記録情報として合成する記録信号処理手段と、体験記録情報を記録する信号記録手段と、体験記録情報を双方向通信ネットワーク上の装置に転送して格納する通信手段とを有する。
【００５６】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、双方向通信ネットワーク上の装置に予め格納された体験記録情報を双方向通信ネットワーク上の装置から取り込む通信手段と、体験記録情報を読み出す信号読み出し手段と、体験記録情報を、記録情報、集録環境情報、及び集録者情報に分解する再現信号処理手段と、記録情報を再生する記録情報再生手段と、再生されている記録情報を閲覧者が鑑賞する際に、記録情報に同期している集録環境情報に対応して、閲覧環境を設定し、集録環境を再現する閲覧環境設定手段とを有する。
【００５７】
　上記第２の目的を達成する本発明の体験記録情報処理通信システムは、記録情報の集録、集録環境情報及び撮影者情報を含む体感検出情報の検出、記録情報及び体感検出情報の体験記録情報としての記録、並びに、体験記録情報の再現、を行うためのものであり、集録対象の記録情報を集録する集録手段と、集録手段で記録情報を集録中の集録環境情報を収集する集録環境情報収集手段と、集録手段で記録情報を集録中の集録者情報を検出する集録者情報検出手段と、記録情報、集録環境情報、及び集録者情報を同期させて体験記録情報として合成する記録信号処理手段と、体験記録情報を記録する信号記録手段と、体験記録情報を双方向通信ネットワーク上の装置に転送して格納する通信手段と、通信手段が格納した体験記録情報に対する対価決済を、双方向通信ネットワークを通じて、格納を依頼する側の装置に支払うための決済通信手段とを有する。
【００５８】
　上記第２の目的を達成する本発明の体験記録情報処理通信システムは、記録情報の集録、集録環境情報及び集録者情報を含む体感検出情報の記録、記録情報及び体感検出情報の体験記録情報としての記録、並びに、体験記録情報の再現、を行うためのものであり、双方向通信ネットワーク上の装置に予め格納された体験記録情報を双方向通信ネットワーク上の装置から取り込む通信手段と、通信手段からの体験記録情報に対する対価決済を、前記双方向通信ネットワークを通じて支払うための決済通信手段とを有する。
【００５９】
　この発明の閲覧者情報設定手段は、記録情報再生手段で記録情報を再生中の閲覧者情報を収集し、かつ記録する閲覧者情報収集手段と、閲覧者情報に基づく閲覧者興奮度が、集録者情報に基づく集録者興奮度に近づくように閲覧環境を設定する閲覧環境設定手段とを含むのが好適である。
【００６０】
　この発明の閲覧者情報設定手段は、記録情報再生手段で記録情報を再生中の閲覧者情報を収集し、かつ記録する閲覧者情報収集手段と、集録者情報に基づく集録者興奮度を、閲覧者の要求に応じて再設定する入力手段と、閲覧者情報に基づく閲覧者興奮度が、再設定された集録者興奮度に近づくように閲覧環境を設定する閲覧環境設定手段とを含むのが好適である。
【００６１】
　上記第２の目的を達成する本発明のプログラムは、集録対象の記録情報を集録する手順と、集録手段で記録情報を集録中の集録環境情報を収集し、かつ記録する手順と、集録手段で記録情報を集録中の集録者情報を収集し、かつ記録する手順と、記録情報、集録環境情報、及び集録者情報を同期させて体験記録情報として合成する手順と、体験記録情報を記録する手順とをコンピュータに実行させるためのものである。
【００６２】
　上記第２の目的を達成する本発明のプログラムは、集録対象の記録情報を集録する手順と、集録手段で記録情報を集録中の集録環境情報を収集し、かつ記録する手順と、集録手段で記録情報を集録中の集録者情報を収集し、かつ記録する手順と、記録情報、集録環境情報、及び集録者情報を同期させて体験記録情報として合成する手順と、体験記録情報を記録する手順と、体験記録情報を読み出す手順と、体験記録情報を、記録情報、集録環境情報、及び集録者情報に分解する手順と、記録情報を再生する手順と、再生されている記録情報を閲覧者が鑑賞する際に、記録情報に同期している集録環境情報に対応して、閲覧環境を設定し、集録環境を再現する手順とをコンピュータに実行させるためのものである。
【００６３】
　上記第２の目的を達成する本発明のプログラムは、情報記録媒体から体験記録情報を読み出す手順と、体験記録情報を、記録情報、集録環境情報、及び集録者情報に分解する手順と、記録情報を再生する手順と、再生されている記録情報を閲覧者が鑑賞する際に、記録情報に同期している集録環境情報に対応して、閲覧環境を設定し、集録環境を再現する手順とをコンピュータに実行させるためのものである。
【００６４】
　上記第２の目的を達成する本発明のプログラムは、集録対象の記録情報を集録する手順と、集録手段で記録情報を集録中の集録環境情報を収集し、かつ記録する手順と、集録手段で記録情報を集録中の集録者情報を収集し、かつ記録する手順と、記録情報、集録環境情報、及び集録者情報を同期させて体験記録情報として合成する手順と、体験記録情報を記録する手順と、体験記録情報を双方向通信ネットワーク上の装置に転送して格納する手順とをコンピュータに実行させるためのものである。
【００６５】
　上記第２の目的を達成する本発明のプログラムは、双方向通信ネットワーク上の装置に予め格納された体験記録情報を双方向通信ネットワーク上の装置から取り込む手順と、体験記録情報を読み出す手順と、体験記録情報を、記録情報、集録環境情報、及び集録者情報に分解する手順と、記録情報を再生する手順と、再生されている記録情報を閲覧者が鑑賞する際に、記録情報に同期している集録環境情報に対応して、閲覧環境を設定し、集録環境を再現する手順とをコンピュータに実行させるためのものである。
【００６６】
　上記第２の目的を達成する本発明のプログラムは、集録対象の記録情報を集録する手順と、集録手段で記録情報を集録中の集録環境情報を収集し、かつ記録する手順と、集録手段で記録情報を集録中の集録者情報を収集し、かつ記録する手順と、記録情報、集録環境情報、及び集録者情報を同期させて体験記録情報として合成する手順と、体験記録情報を記録する手順と、体験記録情報を双方向通信ネットワーク上の装置に転送して格納する手順と、通信手段が格納した体験記録情報に対する対価決済を、双方向通信ネットワークを通じて、格納を依頼する側の装置に支払うための手順とをコンピュータに実行させるためのものである。
【００６７】
　上記第２の目的を達成する本発明のプログラムは、双方向通信ネットワーク上の装置に予め格納された体験記録情報を双方向通信ネットワーク上の装置から取り込む手順と、通信手段からの体験記録情報に対する対価決済を、双方向通信ネットワークを通じて支払うための手順とをコンピュータに実行させるためのものである。
【００６８】
　この発明の閲覧環境を設定する手順において、記録情報を再生中の閲覧者情報を収集し、かつ記録する手順と、閲覧者情報に基づく閲覧者興奮度が、集録者情報に基づく集録者興奮度に近づくように閲覧環境を設定する手順とを含むのが好適である。
【００６９】
　この発明の閲覧環境を設定する手順において、記録情報を再生中の閲覧者情報を収集し、かつ記録する手順と、集録者情報に基づく集録者興奮度を、閲覧者の要求に応じて再設定する手順と、閲覧者情報に基づく閲覧者興奮度が、再設定された集録者興奮度に近づくように閲覧環境を設定する手順とを含むのが好適である。
【００７０】
　以下は本発明の体験記録情報処理方法の技術思想における好適な態様である。
上記した体験記録情報処理方法において、撮影集音装置での記録情報は、撮影対象の撮像と集音の一方又は双方である。
【００７１】
　上記した体験記録情報処理方法において、撮像は、動画、静止画、断続的に撮像を送出するこま送り画像のいずれかである。
【００７２】
　上記した体験記録情報処理方法において、閲覧環境は、空気調節装置、送風機、照明装置、及び閲覧者が接触する電動用具の任意に設定した１以上の装置の動作により設定される。
【００７３】
　上記した体験記録情報処理方法において、閲覧者の電動用具への接触として、電動用具への着座、電動用具の装着を含む接触である。
【００７４】
　上記した体験記録情報処理方法において、電動での変位は、電動用具の一部の部材の上下を含む変化及び電動用具の全体振動を含む変位である。
【００７５】
　上記した体験記録情報処理方法において、電動用具は、閲覧者が着座する電動椅子、閲覧者が装着する電動ベルト、電動チョッキを含む電動用具である。
【００７６】
　上述した体験記録情報処理方法において、体感検出情報は、記録情報を集録中の集録環境情報及び集録者情報の一方又は双方である。
【００７７】
　集録環境情報は、記録情報を集録中の、集録者近傍の温度、湿度、風向、風速、色温度、照度、傾斜、加速度及び方向の全て、又は、任意に選択した１以上の項目である。
【００７８】
　集録者情報は、記録情報を集録中の、集録者の心拍数、体温及び発汗量の全て、又は、任意に設定した１以上の項目である。
【００７９】
　上記した体験記録情報処理方法において、再現中に体感検出情報に含まれる集録環境情報に対応して、電動で変位する電動用具を変位させる際に、体感検出情報を、予め与えられたアルゴリズムで変換したデータを生成するとともに、集録環境情報として記録されている１以上の項目の値を変更する調整を行った動作用データで変位させる。
【００８０】
　上記した体験記録情報処理方法において、記録情報における撮像と集音の一方又は双方を、予め与えられたアルゴリズムで、色変更又は集音レベルを含む変更調整を行う。
【００８１】
　上記した体験記録情報処理方法において、電動用具の変位が、電動用具の一部の変位又は全体の振動を含む変位である。
【００８２】
　上記した体験記録情報処理方法において、再現中の閲覧者の体感検出情報として、閲覧者情報を収集する。
【００８３】
　閲覧者情報は、記録情報を閲覧中の、閲覧者の心拍数、体温及び発汗量の全て、又は、任意に設定した１以上の項目である。
【００８４】
　上記した体験記録情報処理方法において、対価決済を取り込み側が支払う相手先が、双方向通信ネットワーク上の装置を管理する側又は格納を依頼する側である。
【００８５】
　上記した体験記録情報処理方法において、対価決済の支払いが、双方向通信ネットワークによる電子決済（Electronic Settlement）で実行する。
【００８６】
　上記した体験記録情報処理方法において、双方向通信ネットワーク上の装置が、公開的な通信装置との通信を実行する。
【００８７】
　以下は本発明の体験記録情報処理通信システムの技術思想における好適な態様である。
【００８８】
　上記した体験記録情報処理通信システムにおいて、双方向通信ネットワークが、ＴＣＰ／ＩＰ(Transmission Control Protocol/Internet Protocol) 環境下のコンピュータによる双方向通信を行うネットワークである。
【００８９】
　上記した体験記録情報処理通信システムにおいて、双方向通信ネットワーク上の装置が、ＴＣＰ／ＩＰ環境下のコンピュータによる双方向通信を行うネットワークにおける、情報を公開し、かつ、情報の取り込み要求情報に対して該当情報を転送する通信装置である。
【００９０】
　上記した体験記録情報処理通信システムにおいて、対価決済の電子決済を行うための金融取引装置を双方向通信ネットワーク上に備える。
【発明の効果】
【００９１】
　この発明の体験記録情報処理方法では、撮像と集音の記録情報の集録かつ集録者の加速度及び心拍数の体感検出情報の記録が個人でも容易かつ確実に出来るようになる。
【００９２】
　この発明の体験記録情報処理方法では、撮影集音装置で記録情報の集録及び再現、かつ集録者の加速度及び心拍数の体感検出情報の記録及び再現が、個人でも容易かつ確実に出来るようになる。
【００９３】
　この発明の体験記録情報処理方法では、集録者による記録情報及び集録者の体感検出情報が、情報記録媒体から再現できるので、個人でも容易かつ確実に再現できるようになる。
【００９４】
　この発明の体験記録情報処理方法では、記録情報及び集録者の体感検出情報が、公衆通信ネットワーク（例えば、ＴＣＰ／ＩＰネットワークのサイト／ホームページ）に格納され、例えば、一般公開によって提供できるようになり、特に個人での、より広範囲な利用が可能になる。
【００９５】
　本発明の体験記録情報処理方法では、体験記録情報が公衆通信ネットワークを通じて、例えば、多数の公開された記録情報及び体感検出情報を取得できるようになり、特に個人での、より広範囲な利用が可能になる。
【００９６】
　この発明の体験記録情報処理方法では、記録情報及び集録者の体感検出情報が、公衆通信ネットワークを通じて有料提供できるようになる。特に、個人で作成した、例えば、登山行程の記録情報及び体感検出情報を、インターネットなどを通じて公開的に収益が得られて提供可能になる。
【００９７】
　この発明の体験記録情報処理方法では、記録情報及び集録者の体感検出情報が、公衆通信ネットワークを通じて有料で取得できるようになる。特に、個人で作成された、例えば、登山行程の記録情報及び体感検出情報を、インターネットなどを通じて低額で取得できるようになる。
【００９８】
　この発明の体験記録情報処理通信システムでは、上記した体験記録情報処理方法の発明と同様に、撮像と集音、及びこの撮影と集音中における体感検出情報の集録かつ再現が、個人でも容易かつ確実に出来るようになる。さらに、これらが公衆通信ネットワーク（例えば、インターネット）を通じて提供できるようになり、より広範囲な利用が可能になる。また、公衆通信ネットワークを通じて有料提供も出来るようになって、その収益が得られるようになる。
【００９９】
　この発明の情報記録媒体では、特に個人で、記録情報及び体感検出情報を作成できるようになり、かつ、その再現も個人で容易かつ確実に可能になる。
【０１００】
　この発明の体験記録情報処理方法では、撮像と集音の記録情報の集録、かつ、集録中の、集録者近傍の温度、湿度、風向、風速、色温度、照度、傾斜、加速度及び方向の集録環境情報、並びに、集録者の心拍数、体温及び発汗量の集録者情報の収集及び記録が個人でも容易かつ確実にできるようになる。
【０１０１】
　この発明の体験記録情報処理方法では、撮像と集音の記録情報の集録、かつ、集録中の、集録者近傍の温度、湿度、風向、風速、色温度、照度、傾斜、加速度及び方向の集録環境情報、並びに、集録者の心拍数、体温及び発汗量の集録者情報の収集及び記録が個人でも容易かつ確実にできるようになり、体験記録情報の再現が個人でも容易になり、臨場感がより高められる。
【０１０２】
　この発明の体験記録情報処理方法では、集録者による記録情報、並びに、集録時の集録環境情報及び集録者情報を含む体感検出情報が、情報記録媒体から再現できるので、個人でも容易かつ確実に再現できるようになり、臨場感がより高められる。
【０１０３】
　この発明の体験記録情報処理方法では、記録情報及び集録中の集録環境情報及び集録者情報を含む体感検出情報が、公衆通信ネットワークに格納され、例えば、一般公開によって提供できるようになり、特に個人での、より広範囲な利用が可能になる。
【０１０４】
　本発明の体験記録情報処理方法では、体験記録情報が公衆通信ネットワークを通じて、例えば、多数の公開された記録情報及び集録中の集録環境情報及び集録者情報を含む体感検出情報を取得できるようになり、特に個人での、より広範囲な利用が可能になる。
【０１０５】
　この発明の体験記録情報処理方法では、記録情報及び集録中の集録環境情報及び集録者情報を含む体感検出情報が、公衆通信ネットワークを通じて有料提供できるようになる。特に、個人で作成した、例えば、登山行程の記録情報及び体感検出情報を、インターネットなどを通じて公開的に収益が得られて提供可能になる。
【０１０６】
　この発明の体験記録情報処理方法では、記録情報及び集録中の集録環境情報及び集録者情報を含む体感検出情報が、公衆通信ネットワークを通じて有料で取得できるようになる。特に、個人で作成された、例えば、登山行程の記録情報及び体感検出情報を、インターネットなどを通じて低額で取得できるようになる。
【０１０７】
　この発明の体験記録情報処理方法では、記録情報を閲覧している閲覧者の心拍数などの閲覧者情報による閲覧者の興奮度を、集録者情報による集録者の興奮度に近づけるように閲覧環境を設定するので、閲覧時の臨場感を高めることができる。
【０１０８】
　この発明の体験記録情報処理方法では、記録情報を閲覧している閲覧者の興奮度を、集録者の興奮度に対して任意に設定できるので、閲覧時の興奮度を集録時の興奮度に対して、希望に応じて高くしたり、低くしたりすることができる。
【０１０９】
　この発明の体験記録情報処理通信システムでは、上記した体験記録情報処理方法の発明と同様に、撮像と集音、及びこの撮影と集音中における集録中の集録環境情報及び集録者情報を含む体感検出情報の集録かつ再現が、個人でも容易かつ確実に出来るようになる。さらに、これらが公衆通信ネットワークを通じて提供できるようになり、より広範囲な利用が可能になる。また、公衆通信ネットワークを通じて有料提供も出来るようになって、その収益が得られるようになる。
【０１１０】
　この発明の情報記録媒体では、特に個人で、記録情報及び集録中の集録環境情報及び集録者情報を含む体感検出情報を作成できるようになり、かつ、その再現も個人で容易かつ確実に可能になる。
【０１１１】
　本発明のプログラムでは、本発明が、情報記録媒体（パッケージソフトウェアなど）や通信ネットワーク上からのダウンロード／インストールを通じた提供が可能になる。したがって、当該発明を、種々の装置に搭載されるマイクロコンピュータなどによって容易に実施できるようになって、その汎用性が向上する。
【０１１２】
　以上の説明で明らかなように、本発明の体験記録情報処理方法とその通信システム及び情報記録媒体並びにプログラムによれば、撮像と集音の記録情報の集録かつ集録中の集録環境情報及び集録者情報の体感検出情報の記録かつ再現が個人でも容易かつ確実に出来るようになるという効果を奏する。
【０１１３】
　さらに、本発明によれば、記録情報及び集録者の体感検出情報が、公衆通信ネットワークを通じて提供できるようになり、特に個人での、より広範囲な体験記録情報の利用が可能になるという効果を奏する。
【０１１４】
　また、本発明によれば、体験記録情報が、公衆通信ネットワークを通じて有料提供できるようになって、その収益が得られるという効果を奏する。
【発明を実施するための最良の形態】
【０１１５】
　以下、図を参照して、本発明の実施の形態について説明するが、構成及び動作は、本発明が理解できる程度に概略的に示したものに過ぎない。また、以下、本発明の好適な構成例につき説明するが、各構成や処理は好適例にすぎない。したがって、本発明は以下の実施形態に限定されず、特許請求の範囲を含む本発明に基づく様々な形態に適用可能である。
【０１１６】
　（第１実施形態の構成及び各部の個別動作）
　図１は本発明の第１実施形態の全体構成を示す通信ネットワーク図である。
【０１１７】
　図１を参照すると、この通信ネットワークは、有線通信回線網１と、通信・再現システム２ａ，２ｂ，２ｃ（本発明の再現手段、電動用具、再生手段、通信手段、決済通信手段に対応する）と、ネットバンク通信装置３（本発明の金融取引装置に対応）と、インターネットサービスプロバイダ（ＩＳＰ）装置４と、業者通信装置５と、体感情報検出装置９ａ，９ｂ，９ｃ（本発明の検出記録手段に対応する）と、撮影集音装置１０ａ，１０ｂ，１０ｃ（本発明の集録手段に対応する）と、小型汎用コンピュータ１３（本発明の検出記録手段に対応する）とから構成されている。
【０１１８】
　なお、体感情報検出装置９ａ〜９ｃのそれぞれは、以降で詳細に説明するように撮影集音装置１０ａ〜１０ｃのそれぞれに組み込まれて構成されている。また、小型汎用コンピュータ１３は設けない構成とすることも出来る。この場合、撮影集音装置１０ａ〜１０ｃに内蔵するＭＰＵ（Microprocessing Unit）や入力操作装置（例えば、キーパッド）を用いた構成とする。
【０１１９】
　以下、上記各部のそれぞれの動作について説明する。
【０１２０】
　有線通信回線網１は、この例では、ＴＣＰ／ＩＰ環境下のコンピュータによる双方向通信を行うためのアナログ通信回線網又はデジタル通信回線網（ＩＳＤＮ：Integrated Services Digital Network） である。
【０１２１】
　なお、この有線通信回線網１に図１に示す各装置を接続した構成が本発明でいう「双方向通信ネットワーク」である。
【０１２２】
　また、この有線通信回線網１は、以降で説明するように体験記録情報として、記録情報と集録環境情報及び集録者情報を含む体感検出情報とを公開し、かつ、その双方向通信による格納と取り込み（ダウンロード）が出来れば良い。したがって、公開的（不特定多数）なインターネットやエキストラネット以外にも、イントラネット、ＵＮＩＸ（登録商標）ワークステーションなどの専用通信回線網（論理回線網及び物理回線網）による公開（一定範囲での公開）での実施も可能であり、この実施形態も本発明に含まれる。また、伝送方式は、Ｚ／Ｙ−ＭＯＤＥＭなどのホストコンピュータに小型汎用コンピュータ（例えば、ＰＣ−ＶＡＮ（Value Added Network））を接続した双方向通信ネットワークでも本発明を実施できる。適宜、インターネットをもって説明する。
【０１２３】
　通信・再現システム２ａ〜２ｃは、それぞれに主に個人宅に設置されて、記録情報と体感検出情報（体験記録情報）を、図１に示す小型汎用コンピュータ１３，ＣＤ―ＲＯＭ（情報記録媒体）又はインターネット上から取り込んで、その再現をするものである。
【０１２４】
　また、通信・再現システム２ａ〜２ｃは、それぞれ体験記録情報をインターネット上に格納（登録）して一般公開するために有線通信回線網１に転送する。
【０１２５】
　記録情報は、例えば、テーマパークアトラクション、カーレースの前方走行状態、登山行程、ゲームセンタープレイなどの映像（画像）と、その音（集音）の一方又は双方である。
【０１２６】
　また、体感検出情報は、集録中の集録者の他に、近傍者の体感検出情報とすることも出来る。この場合、体感情報検出装置９ａ〜９ｃが、撮影集音装置１０ａ〜１０ｃと別体で構成され、撮影集音装置１０ａ〜１０ｃは集録者が専用に操作（集録）する。体感情報検出装置９ａ〜９ｃは集録者の近傍者に装着する。体感情報検出装置は、集録環境情報収集部と集録者情報収集部とを含んで構成されるが、それぞれ別体で構成されても良い。体感情報検出装置では、集録対象の集録を行う際の集録者の心拍数、体温及び発汗量等の集録者情報、並びに、温度、湿度、風向、風速、照度、色温度、傾斜、加速度及び方向等の集録環境情報の中から任意に選択した１又は複数の項目に関する情報を収集及び記録する。
【０１２７】
　記録情報、及び、体感検出情報における選択出力の設定は、撮影集音装置１０ａ〜１０ｃ，小型汎用コンピュータ１３，２０（図２参照）で行う。この選択出力の設定によって、撮影対象の情報内容（コンテンツ）に適合し、かつ、閲覧者が好む多様な形態の再現が可能になる。
【０１２８】
　通信・再現システム２ａ〜２ｃは、それぞれ個人宅以外にもゲームセンター、アミューズメントパークなどに設置した場合も以下同様に動作する。
【０１２９】
　通信・再現システム２ａ〜２ｃは、インターネット上に配置されるものであり、ここでは３台を図示したが実際には、多数が設置される。
【０１３０】
　ネットバンク通信装置３は，インターネット上において以降で説明する対価決済を有線通信回線網１上で実行するためにネット銀行やクレジットカード会社の為替業務系システムや勘定系システムなどに接続されている。この対価決済としては、クレジットカード、デビットカード、電子マネー(e-cache/digital-cache) 、世界共通ネット通貨(beans)などが既知である。
【０１３１】
　インターネットサービスプロバイダ（ＩＳＰ）装置４は、インターネットアクセスにおけるポータルサイトなどとしての検索機能や、体験記録情報を公開するもので、このためのデータベース（Ｄ／Ｂ）装置及びサーバを備えている。
【０１３２】
　業者通信装置５は、例えば、多種の体験記録情報の格納（登録）をインターネットのホームページを通じて受け付け、また、体験記録情報の格納（登録）依頼、及び、取り込みに対する対価決済の通知などを処理する。
【０１３３】
　ここでは，ＩＳＰ装置４及び業者通信装置５の両方が、体験記録情報を公開するものとしているが、ＩＳＰ装置４が業者通信装置５とのリンク設定で体験記録情報の公開を行うのが一般的である。
【０１３４】
　体感情報検出装置９ａ〜９ｃは、記録情報の集録中の集録者又は近傍者の体感検出情報を小型汎用コンピュータ１３（又は撮影集音装置１０ａ〜１０ｃの図示しないＭＰＵ）に出力する。
【０１３５】
　撮影集音装置１０ａ〜１０ｃは、具体的には、ＶＴＲ，ビデオカメラ、カメラ付き携帯電話機などであり、撮影対象の撮像と集音の一方又は双方を、ＶＴＲ，ビデオカメラに装着する情報記録媒体(例えば、ビデオテープや半導体メモリ)に記録したり、小型汎用コンピュータ１３に転送したりする。なお、カメラ付き携帯電話機では以降で説明するように記録情報を情報記録媒体に格納せずに、直接、図示しない無線通信回線網に転送（伝送）する。
【０１３６】
　小型汎用コンピュータ１３や撮影集音装置１０ａ〜１０ｃでは、記録情報をデジタル変換し、かつ、体感情報検出装置９ａ〜９ｃからの体感検出情報をデジタルデータと一つの情報記録媒体（例えば、ＤＶＤ）に格納する。この場合、撮像及び集音のデジタルデータと、体感検出情報のデジタルデータとの格納では、特に、通信伝送用フレームデータのように厳密な同期確立は要求されない。
【０１３７】
　なお、図１において、体感情報検出装置９ａ〜９ｃ及び撮影集音装置１０ａ〜１０ｃは、通信・再現システム２ａ〜２ｃのそれぞれに接続した配置例を示しているが、この配置を行わない例もある。これは、例えば、個人的には体験記録情報を提供（インターネット上のホームページ）せずに、他人の体験記録情報のみをインターネット上から取り込んで楽しむ場合である。
【０１３８】
　小型汎用コンピュータ１３は、体験記録情報を、例えば、デジタルデータに変換して情報記録媒体に格納して通信・再現システム２ａ〜２ｃにおける小型汎用コンピュータ２０(図２参照)側に提供し、又は小型汎用コンピュータ２０に転送する。
【０１３９】
　図２は図１中の体感情報検出装置９ａ〜９ｃ及び撮影集音装置１０ａ〜１０ｃの内部構成例を説明するための図である。
【０１４０】
　図２を参照すると、体感情報検出装置９ａ〜９ｃは、記録情報の集録中の集録者又は近傍者の体感検出情報（集録者の心拍数、体温及び発汗量等の集録者情報、並びに、温度、湿度、風向、風速、照度、色温度、傾斜、加速度及び方向等の集録環境情報の中から任意に選択した１又は複数の項目）を小型汎用コンピュータ１３（又は撮影集音装置１０ａ〜１０ｃの図示しないＭＰＵ）に出力する。
【０１４１】
　なお、この加速度としては、撮影集音装置１０ａ〜１０ｃの撮影中の変位、例えば、撮影対象が移動した際に、その撮影対象の方向に撮影集音装置１０ａ〜１０ｃを動かした変位を含むものである。
【０１４２】
　この加速度は、具体的には、「ＶＴＲの手ぶれ防止処理用」として既知の半導体素子を利用した加速度センサなどで検出し、また、心拍数は、具体的には指などに装着した心拍センサを用いた簡易な心拍計などが利用できる。
【０１４３】
　体温、発汗量、温度、湿度、風向、風速、照度、色温度、傾斜、及び方位については、いずれも、コンピュータ処理可能な信号を出力できる周知の温度計、湿度計、風向風速計、色温度照度計、傾斜計、方向計で実現可能である。
【０１４４】
　また、図２を参照すると、撮影集音装置１０ａ〜１０ｃは、具体的には、ＶＴＲ，ビデオカメラ、カメラ付き携帯電話機などであり、動画、静止画、こま送り画像である撮影対象の記録情報を情報記録媒体に記録したり、小型汎用コンピュータ１３に送出したりする。
【０１４５】
　図３は図１中の通信・再現システム２ａ〜２ｃの内部構成例を説明するための図である。
【０１４６】
　図３を参照すると、通信・再現システム２ａ〜２ｃは、小型汎用コンピュータ２０と、通信接続装置２１と、撮像表示装置２５と、電動椅子３０と、空気調整装置５０と、送風機５５、照明装置６０とから構成されている。
【０１４７】
　撮像表示装置２５は、背面投影の投影部２６と表示スクリーン２７と、集音送出用のスピーカ３５とからなる。
【０１４８】
　電動椅子３０は、着座部３１と電動駆動部３２とからなる。
【０１４９】
　以下、この各部の個別動作について説明する。
【０１５０】
　小型汎用コンピュータ２０は、インターネット上の体験記録情報（記録情報及び体感検出情報）の取り込みと、体験記録情報の提供、及び対価決済を処理する。
【０１５１】
　通信接続装置２１は、有線通信回線網１との回線接続のためのものであり、例えば、アナログ回線用のＮＣＵ（Network Control Unit）及びモデム、デジタル回線用のＤＳＵ（Digital Service Unit）及びＴＡ（Terminal Adapter）、ＡＤＳＬ（Asymmetric Digital Subscriber Line）用のスプリッタ及びハブ、又は侵入防止用のファイアウォールアプリケーションを実装したルータなどで実現される。
【０１５２】
　撮像表示装置２５の投影部２６は、小型汎用コンピュータ２０からの撮像を表示スクリーン２７の背面に投影する。表示スクリーン２７は、投影部２６が背面から投影した撮像を反対側の表側から閲覧者が目視した鑑賞を行う。電動椅子３０の着座部３１は、閲覧者が着座して表示スクリーン２７上の撮像を鑑賞する。電動駆動部３２は、着座部３１をモータで変位させる、この変位は、電動用具の一部の変位又は全体の振動を含む変位である。
【０１５３】
　なお、電動椅子３０（着座部３１及び電動駆動部３２）は、家庭用の椅子型マッサージ機を用いて、この第１実施形態と同様に動作させることも可能である。この椅子型マッサージ機のモータを電動駆動部３２として利用する。また、電動椅子３０は、この椅子構成にかかわらず、閲覧者が装着、例えば、腕などの部位に巻き付け、その一部が変位し又は全体が振動する電動ベルトや上着のようにして身に付ける電動チョッキなどのような構成でも良く、これらは設計上の範囲であり、本発明に含まれる。
【０１５４】
　空気調整装置５０は、閲覧者、及び閲覧者が着座する電動椅子３０を含む空間の温度、湿度を設定する。空気調整装置５０は、温度調節が可能であり、かつ、加湿及び除湿の機能を持つ家庭用の空気調整装置を用いて、この第１実施形態と同様に動作させることも可能である。
【０１５５】
　送風機５５は、閲覧者、及び閲覧者が着座する電動椅子３０を含む空間の風向、風速を設定する。送風機５５は、上述した空気調整装置５０の送風機能を用いても良く、また、扇風機等の家庭用送風機を用いても良い。また、風向の設定のために、設定に応じて送風機を複数設けても良い。
【０１５６】
　照明装置６０は、閲覧者、及び閲覧者が着座する電動椅子３０を含む空間の照度、色温度を設定する。なお、照明装置６０による照度、色温度の設定は、撮像表示装置２５が投影型でなく、ブラウン管又は液晶ディスプレイ等の表示方式の場合に可能である。
【０１５７】
　図４は、図１中の個人用の通信・再現システム２ａ、ネットバンク通信装置３，ＩＳＰ装置４、業者通信装置５、及び小型汎用コンピュータ１３でのプログラム実行を行う要部構成を示すブロック図である。
【０１５８】
　図４を参照すると、この例は、本発明のプログラムを実行するためのものであり、ＭＰＵ（Microprocessing Unit）を用いた構成例である。Ｉ／Ｆ回路４１がデータ転送処理、及び転送データをＭＰＵ４２が取り込み可能に処理する。ＭＰＵ４２はＣＰＵと、ワーキング用のＲＡＭ及びＲＯＭからなる既知の処理を実行する。
【０１５９】
　入出力（Ｉ／Ｏ）回路４３が、各種の処理データを表示するためのＣＲＴモニタやＬＣＤモニタである表示装置４４及び各種の情報入力を行うキーボードや座標入力装置で実現される入力操作装置４５とのデータ入出力処理を行う。ＭＰＵ４２の処理データなどが、メモリ４６や補助記憶装置４７で保存され、ドライバ４８がＣＤ―ＲＯＭなどの情報記録媒体からの記憶情報を取り込む。
【０１６０】
　なお、このＭＰＵの要部構成には、一般に汎用されている、インターネット通信を実行するための、ＦＴＰ(File Transfer Protocol)ファイル転送、分散名前管理通信システム（ＤＮＳ:Domain Name System）、代金決済におけるデータ転送用の暗号化通信プロトコル（ＳＳＬ:Secure Sockets Layer）などが実装される。
【０１６１】
　なお、装置規模が大きいシステム（例えば、ネットバンク通信装置３やＩＳＰ装置４）では、それぞれの処理（上記したＦＴＰ、ＤＮＳ等）を専用に処理するサーバを設けた構成となる。このサーバを設けた構成は、伝送容量（トラフィック量）やデータ処理量を考慮して、その構成とすれば良い。
【０１６２】
　（第１実施形態の全体動作）
　図１に示す構成では、有線通信回線網１と各装置との間でＩＰパケットを伝送し、例えば、ＩＴＵ−Ｔ勧告によるパケット交換手順Ｘ．３１で実行する。なお、他の高速伝送方式（例えば、ＡＤＳＬ、ギガビット高速データ通信ネットワーク）を採用しても良い。
【０１６３】
　図１の各装置は、インターネット通信として周知のＴＣＰ／ＩＰによる通信接続処理、ＨＴＭＬ(HyperText Markup Language) による言語処理機能（文章、音声、データ圧縮によるＪＰＥＧ静止画又はＭＰＥＧ動画処理）、及びＨＴＴＰ(Hypertext Transport Protocol)によるハイパーリンク機能による転送双方向通信、ＦＴＰによるファイル転送、及びＣＧＩ(Common Gateway Interface)による外部アプリケーションをそれぞれに実行する。このための電子メール通信やインターネットサーフィンを行うウェブブラウザ（アプリケーション) を各装置が搭載している。
【０１６４】
　このインターネット通信では、ＴＣＰ／ＩＰリンクによって、周知のＩＰパケットによるファイル転送を双方向通信で行っている。この通信ネットワークにおけるインターネット上での転送処理は、ＨＴＴＰにおけるオブジェクト指示（例えば、小型汎用コンピュータ２０でのクリック／マウスなどの座標入力装置によるラジオボタン、アンカー、プッシュボタン等への指示）によって実行する。この場合、フォーマットにＴＣＰコネクションの開放の伝送終了記述文字（ＦＩＮ）や伝送肯定応答文字（ＡＣＫ）などを格納し、その識別によってファイル転送を実行する。
【０１６５】
　ここで図１を参照すると、ＩＳＰ装置４の運営者は、業者通信装置５を設置する業者（ここでは、適宜、アミューズメント業者と称する）の依頼による契約によって、業者通信装置５のインターネット運用（保守、管理、対価決済管理）を行う。
【０１６６】
　業者通信装置５の運営者は、ＩＳＰ装置４の運営者との契約によって、ＩＳＰ装置４が運営するホームページ上に、Ｄ／Ｂ格納又はリンク設定による自己ホームページを開設可能である。同様に、通信・再現システム２ａ〜２ｃの使用者（顧客）は、ＩＳＰ装置４の運営者との契約によってホームページの開設が可能である。
【０１６７】
　また、ＩＳＰ装置４の運営者と契約した通信・再現システム２ａ〜２ｃの使用者（顧客）は、いずれのアミューズメント業者(以降で説明する)のホームページからでも体験記録情報、すなわち、記録情報である撮像と集音の一方又は双方であり、また、体感検出情報である集録者の加速度と心拍数の一方又は双方を含む体験記録情報の格納（アップロード）及び取り込み（ダウンロード）と、その対価決済（以降で説明する）が可能である。
【０１６８】
　図５は第１実施形態の処理手順を説明するためのフローチャートである。図１から図５を参照すると、本発明に対応した第１実施形態では、撮影集音装置１０ａでの体験記録情報としての記録情報、及び体感情報検出装置９ａでの体験記録情報としての体感検出情報を、小型汎用コンピュータ１３で取り込む（図５中の（以下、この「図５中の」の表記は省略する。）ステップＳ１，Ｓ２）。次に、デジタルデータに変換して（ステップＳ３）、情報記録媒体（例えば、ＤＶＤ（Digital Versatile Disc）―ＲＡＭ）に格納する。ここで、記録情報は、撮像と集音の一方又は双方である。また、体感検出情報は、集録環境情報と集録者情報を含んで構成される。集録環境情報は、温度、湿度、風向、風速、照度、色温度、傾斜、加速度及び方向を含んでいて、集録者情報は、集録者又は近傍者の心拍数、体温及び発汗量を含んでいる。体感検出情報としては、上述の項目から、１以上の任意の個数の項目が選択可能である。
【０１６９】
　この格納は、記録情報に体感検出情報を時間軸上で一致させる。この場合、記録情報をＭＰＥＧ（Moving Picture Experts Group）方式などのような動画の圧縮・伸張方式を採用する場合は、体感検出情報も同様の圧縮・伸張方式を適用すると時間軸なども整合する。体感検出情報はデータ量が比較的少ないため、例えば、データフォーマットにおける記録情報フィールドや各種の制御フィールドとともに設けられている空きフィールドに格納したデータ構成とすれば良い（ステップＳ４，Ｓ５）。
【０１７０】
　情報記録媒体として磁気テープを用いても良い。図１６に、磁気テープ上の記録パターンの一例を示す。この例では、磁気テープ上にヘリカルトラックで記録が行われる。このヘリカルトラックの一部にデータ記録エリアが設けられ、このデータ記録エリアに体感検出情報が記録される。
【０１７１】
　この様にして作成された情報記録媒体は、その記録情報と体感検出情報が次に説明する第２実施形態のようにして再現される。また、情報記録媒体は、ＩＳＰ装置４や業者通信装置５の運営者に運送、郵送や手渡しで届けられて利用（この場合は主に業務用として利用）される。さらに、以降で説明するようにインターネット上のホームページに転送して一般公開され、興味をもった他人がホームページを通じて取り込んで、その再現に利用する（ステップＳ６）。
【０１７２】
　（第１実施形態の利点）
　上記したように、この第１実施形態では、記録情報の集録、及び集録者の体感検出情報が、個人でも比較的に容易かつ確実に作成できるようになる。換言すれば、映画館、テーマパーク、ゲームセンターなどのみの業務用（営業用）として作成されていた体験記録情報（記録情報及び体感検出情報）を個人でも比較的容易かつ確実に作成できるようになる。
【０１７３】
　（第２実施形態の構成及び各部の個別動作）
　この第２実施形態の構成は、第１実施形態の構成（図１から図４）と同様である。その重複した説明は省略する。
【０１７４】
　（第２実施形態の全体動作）
　図６は第２実施形態の処理手順を説明するためのフローチャートである。
【０１７５】
　この第２実施形態を、図１から図４及び図６を参照して説明する。なお、図６のフローチャートの処理手順は図３に示す小型汎用コンピュータ２０（内部構成図４参照）におけるプログラム実行である。
【０１７６】
　この第２実施形態では、上記した第１実施形態と同様にして個人的に作成された記録情報及び体感検出情報を、家庭内の通信・再現システム２ａで自己向け又は知人向けとして再現するものである。
【０１７７】
　まず、第１実施形態で撮影集音装置１０ａと体感情報検出装置９ａ及び小型汎用コンピュータ１３で作成された情報記録媒体（例えば、ＤＶＤ―ＲＯＭや磁気テープ）から体験記録情報が通信・再現システム２ａで再生される。又は、第１実施形態で撮影集音装置１０ａと体感情報検出装置９ａ及び小型汎用コンピュータ１３で作成された記録情報及び体感検出情報が小型汎用コンピュータ２０に転送される（図６中の（以下、この「図６中の」の表記は省略する。）ステップＳ１１）。
【０１７８】
　小型汎用コンピュータ２０は、記録情報及び体感検出情報を取り込むと（ステップＳ１２）、取り込んだ記録情報における撮像と集音の一方又は双方、及び体感記録情報における集録者情報及び集録環境情報に記録されている各項目から設定に応じて選択した任意の項目に対してそれぞれ再現のための処理（例えば、データ伸張、Ｒ，Ｇ，Ｂ信号変換、集音のアナログ変換など）を実行する（ステップＳ１３，Ｓ１４）。
【０１７９】
　次に、記録情報における撮像と集音の一方又は双方の変更調整が判断される（ステップＳ１５）。この変更調整は、例えば、撮像の場合、色の変更（赤色をオレンジ色に）や輝度変更であり、また、集音の変更は、音量変更、電子効果音の付加（例えば、残響やトレモロ）がある（ステップＳ１６）。
【０１８０】
　この変更調整は、予め小型汎用コンピュータ２０に設定したアルゴリズム（図４のＲＯＭなどへの設定）で実行され、その設定調整は、図４に示す入力操作装置４５からＭＰＵ４２に設定して行われる。小型汎用コンピュータ２０での変更調整を行った撮像と集音の一方又は双方が、図３に示す投影部２６（表示スクリーン２７）、スピーカ３５に出力される（ステップＳ１７，Ｓ１８）。
【０１８１】
　また、体感検出情報の変更調整が判断される（ステップＳ１９）。ここで変更調整を行う場合、体感検出情報に含まれる傾斜、加速度及び方向の情報を予め与えられたアルゴリズムで変換した駆動用データを生成して変更調整を行う（ステップＳ２０）。そして、変換した駆動用データで、電動駆動部３２を動作させて（ステップＳ２１）、着座部３１を変位させる（ステップＳ２２）。この着座部３１の変位は、着座部３１の一部の変位（比較的緩慢な一部の上下運動又は一部の振動）又は着座部３１の全体の振動を含む変位である。
【０１８２】
　体験記録情報の温度、湿度の情報に基づいて空気調節装置５０を設定し、風向、風速の情報に基づいて送風機５５を設定し、照度、色温度の情報に基づいて照明装置６０を設定しても良い。
【０１８３】
　（第２実施形態の利点）
　上記したように、この第２実施形態では、記録情報の集録かつ再現、及び集録者の体感検出情報の記録かつ再現が、個人でも容易かつ確実に出来る様になる。
【０１８４】
　また、体感検出情報に、温度、湿度などの集録環境情報を加えることで、より臨場感を高めることができる。
【０１８５】
　（第３実施形態の構成及び各部の個別動作）
　この第３実施形態の構成は、第１実施形態の構成（図１から図４）と同様である。その重複した説明は省略する。
【０１８６】
　（第３実施形態の全体動作）
　この第３実施形態の全体動作は、上述した第２実施形態と同様であるが、体験記録情報に含まれる集録者情報に基づいて電動椅子３０の動作を含む閲覧環境を設定する点が異なる。第２実施形態と重複する説明は省略する。
【０１８７】
　第３実施形態では、通信・再現システム２ａ〜２ｃにおける閲覧者（顧客）が、体験記録情報を再現しているときの実際の心拍数などの閲覧者情報を通信・再現システム２ａ〜２ｃと一体的に設けられた体感情報検出装置９ａ〜９ｃに備えられている閲覧者情報収集部から小型汎用コンピュータ２０に取り込む。例えば、閲覧者の心拍数が、集録者情報に含まれる集録者の心拍数と比較して、その差が大きい場合、臨場感が不足或いは過剰となっているとして、電動椅子３０の振動変位または加速度の大きさ、又は、音量等の変更を行い、差を小さくするように、閲覧環境を設定する。例えば、閲覧者の心拍数が集録者の心拍数より小さい場合、閲覧者興奮度が不足しているので、電動椅子３０の加速度を大きくする、又は、音量を大きくする等して閲覧者興奮度を高めるようにする。また、閲覧者の心拍数が集録者の心拍数より大きい場合、閲覧者興奮度が過剰になっているので、電動椅子３０の加速度を小さくする、又は、音量を小さくする等して閲覧者興奮度を低くするようにする。
【０１８８】
　この閲覧環境の設定は、小型汎用コンピュータ２０のＣＰＵ４００で行う。この小型汎用コンピュータ２０の機能について、図４及び図１５を参照して説明する。小型汎用コンピュータ２０は、図４を参照して説明した構成であり、各機能はＭＰＵ４２で実現される。ＭＰＵ４２は、ＣＰＵ４００、ＲＡＭ、ＲＯＭを備えていて、ＣＰＵ４００は、制御手段５１０と機能手段５２０を備えている。
【０１８９】
　機能手段５２０は、デジタル信号処理手段５２２、画像信号処理手段５２４、音声信号処理手段５２６、空気調整装置制御手段５２８、送風機制御手段５３０、照明装置制御手段５３２、電動椅子制御手段５３４、及び再現状態制御手段５３６を備えている。デジタル信号処理手段５２２は、ＣＤ―ＲＯＭなどの情報記録媒体からＩ／Ｏ回路４３を経て、又は、インターネット通信によりＩ／Ｆ回路４１を経て、体験記録情報を受け取る。その後、この体験記録情報は、画像信号、音声信号、加速度、集録者の心拍数などの項目に応じて分割され、それぞれ、画像信号処理手段５２４、音声信号処理手段５２６、空気調整装置制御手段５２８、送風機制御手段５３０、照明装置制御手段５３２、及び電動椅子制御手段５３４、再現状態制御手段５３６に送られる。再現状態制御手段５３６では、閲覧者の心拍数を受け取り、集録者の心拍数との比較を行う。その比較の結果は、音声信号処理手段５２６、空気調整装置制御手段５２８、送風機制御手段５３０、照明装置制御手段５３２、又は、電動椅子制御手段５３４に送られ、予め定めたアルゴリズムに従って、閲覧環境の設定が行われる。設定結果は、空気調整装置５０、送風機５５、照明装置６０、電動椅子３０、スピーカ３５等に送られ、デジタル／アナログ変換回路（図示しない）で変換され、空気調整装置５０、送風機５５、照明装置６０、電動椅子３０、スピーカ３５等を動作させる。
【０１９０】
　また、閲覧者興奮度を集録者興奮度より高くするために、再現状態制御手段５３６での心拍数の比較をする際に用いる集録者の心拍数を、入力操作装置４５を介して集録時よりも大きくなるように設定し、閲覧者の心拍数が集録時の集録者の心拍数よりも大きくなるようにしても良い。
【０１９１】
　また、閲覧者興奮度を集録者興奮度より低くするために、再現状態制御手段５３６での心拍数の比較をする際に用いる集録者の心拍数を、入力操作装置４５を介して集録時よりも小さくなるように設定し、閲覧者の心拍数が集録時の集録者の心拍数よりも小さくなるようにしても良い。
【０１９２】
　この第３実施形態では、臨場感又は興奮度の判定に、閲覧者及び集録者の心拍数を用いたが、設定に応じて、体温又は発汗量等を集録者情報として記録し、再現状態の制御に用いても良い。
【０１９３】
　（第３実施形態の利点）
　上記したように、この第３実施形態では、記録情報の集録かつ再現、及び集録者の体感検出情報の記録かつ再現が、個人でも容易かつ確実に出来る様になる。
【０１９４】
　また、体感検出情報に、温度、湿度などの集録環境情報を加えることで、より臨場感を高めることができる。さらに、集録者の心拍数等の興奮度に、閲覧者の心拍数等の興奮度が近づくように閲覧環境を設定するので、閲覧者は、集録者と同様の興奮度を得ることができる。
【０１９５】
　（第４実施形態の構成及び各部の個別動作）
　この第４実施形態の構成は、第１実施形態の構成（図１から図４）と同様である。その重複した説明は省略する。
【０１９６】
　（第４実施形態の全体動作）
　この第４実施形態では、上記した第１実施形態と同様にして、主に個人的に作成された体験記録情報（記録情報及び体感検出情報）を格納した情報記録媒体が、有料又は無料で貸借され、あるいは譲渡される。
【０１９７】
　そして、この情報記録媒体を、第２実施形態の説明（再現のみ）と同様にして家庭内で個人が通信・再現システム２ａで再現（ゲームセンターなどでの業務用としての再現を含む）するものである。この第４実施形態の各部の動作、及び図３に示す小型汎用コンピュータ２０（内部構成図４参照）のプログラム処理は第２実施形態の図６のフローチャートと同様である。その重複した説明を省略する。
【０１９８】
　（第４実施形態の利点）
　上記したように、この第４実施形態では、記録情報の再現、及び集録者の体感検出情報の再現が、個人的に作成された情報記録媒体を借り受けたり、譲渡したりすることによって家庭内で個人的に通信・再現システム２ａで容易かつ確実に出来るようになる。
【０１９９】
　（第５実施形態の構成及び各部の個別動作）
　この第５実施形態の構成は、第１実施形態の構成（図１から図４）と同様である。その重複した説明は省略する。
【０２００】
　（第５実施形態の全体動作）
　図７は第５実施形態の動作を説明するためのフロー・シーケンス図であり、図８は記録情報及び体感検出情報の格納（登録、アップロード）及び取り込み（ダウンロード）を説明するための図である。
【０２０１】
　図１から図４及び図７と図８を参照すると、この第５実施形態では、第１及び第３実施形態の説明のようにして作成された情報記録媒体の記録情報及び体感検出情報（又は、小型汎用コンピュータ１３から直接転送された記録情報及び体感検出情報）を、小型汎用コンピュータ２０が再生し（ステップＳ３０，Ｓ３１）、有線通信回線網１を通じてＩＳＰ装置４又は業者通信装置５に送信する（ステップＳ３２）。ＩＳＰ装置４又は業者通信装置５が体験記録情報を受信すると（ステップＳ３３）、データベース装置などに、一般公開用として格納（登録）し、有線通信回線網１を通じて小型汎用コンピュータ２０に格納終了を通知する（ステップＳ３４）。
【０２０２】
　次に、図８を参照して記録情報及び体感検出情報の格納（登録）について説明する。
【０２０３】
　図８を参照すると、体感情報検出装置９ａ及び撮影集音装置１０ａからの体験記録情報が情報記録媒体から通信・再現システム２ａの小型汎用コンピュータ２０で取り込まれ、又は、小型汎用コンピュータ１３から転送された体験記録情報を小型汎用コンピュータ２０が取りこむ（図８中の（Ａ））。
【０２０４】
　ここでの体験記録情報は、名称／アトラクションＮｏ.３，記録情報（図８では画像データのみを示す）及び体感検出情報（図８では加速度データと心拍数データのみを示す）である。
【０２０５】
　この体験記録情報が、通信・再現システム２ａからＩＳＰ装置４又は業者通信装置５に転送される（図８の中の（Ｂ））。ここでは、転送先が、この種の体験記録情報の登録受け付け、かつ、公開提供を行う事業者「アミューズメント業者」とする。このアミューズメント業者は、テーマパークアトラクション、カーレースの前方走行状態、登山行程、ゲームセンタープレイなどを専門としたり、複数種類を取り扱う業者がそれぞれインターネットのホームページを通じて、登録受け付け（及び以降で説明する公開かつ提供）を行ったりする。また、ＩＳＰ装置４のホームページで、各業者通信装置５がそれぞれに提供する体験記録情報をリンクによって総合的に、登録受け付け（公開かつ提供）するようにも出来る。
【０２０６】
　なお、この例では、一つのアトラクション（図８ではＮｏ.３）に対して、図８中のデータ構成４Ａ，５Ａに示すように複数の体験記録情報（画像、加速度、心拍数のデータ）を格納したデータベース（Ｄ／Ｂ）化されている。さらに、一つの画像、加速度、心拍数のデータに対して複数のモーションデータが格納されている。このモーションデータは、上記した駆動用データに対応する。
【０２０７】
　すなわち、体感検出情報（集録者の加速度と心拍数の一方又は双方）を予め与えられたアルゴリズムで変換した駆動用データに対応する。モーションデータは、アトラクションＮｏ.３の複数の体験記録情報それぞれに異なるものであり、これに対して通信・再現システム２ａ側でも予め与えられたアルゴリズムで閲覧者の好むように変換した駆動用データに変更調整が可能である。
【０２０８】
　なお、アトラクションＮｏ.３の複数の体験記録情報それぞれでモーションデータが異なるのは、例えば、同じ山への登山行程でも、そのときの風向きやその風の強さが相違することによって、体感検出情報が異なり、そのモーションデータが相違することを意味する。
【０２０９】
　ここで通信・再現システム２ａ〜２ｃの使用者（顧客）が、図８に示すアミューズメント業者のホームページにおけるアトラクションＮｏ.３への登録依頼を行う場合は次の２例がある。
（１）例えば、アトラクションＮｏ.３は、アミューズメント業者が予め定めたジャンル(例えば、登山行程)が定められており、このアトラクションＮｏ.３に登録する。
（２）アトラクションＮｏ.３は、ジャンルが定められておらず、通信・再現システム２ａ〜２ｃの使用者（顧客）が紹介するためにアトラクションＮｏ.３への登録依頼を行う。
【０２１０】
　このアトラクションＮｏ.３への登録依頼は、図８に示すデータ構造４Ａ，５Ａのように複数が登録される。これは同一の通信・再現システム２ａ〜２ｃの使用者が、例えば、異なる日に登山した体験記録情報や、また、異なる通信・再現システム２ａ〜２ｃの使用者による、同一の山への登山の体験記録情報であることを意味する。
【０２１１】
　なお、この複数の体験記録情報には、複数のモーションデータ（＝駆動データ）が格納されている。これは、通信・再現システム２ａ〜２ｃの使用者（顧客）の好みによる選択を可能にしている。
【０２１２】
　この複数のモーションデータ（＝駆動データ）は、次のようにして作成される。
（１）通信・再現システム２ａ〜２ｃの使用者（顧客）が、体験記録情報に基づいて主観的に作成する。
（２）ＩＳＰ装置４の運営者が、体験記録情報に基づいて、主観的に作成する。
（３）通信・再現システム２ａ〜２ｃの使用者（顧客）が、体験記録情報を再現しているときの実際の心拍数を通信・再現システム２ａ〜２ｃと一体的に設けられた体感情報検出装置９ａ〜９ｃから小型汎用コンピュータ２０を通じてＩＳＰ装置４又は業者通信装置５のホームページ（図８のアミューズメント業者のホームページ）に転送して上書きし、又は、新たなモーションデータとして追加格納する。この場合、実際の再現中の閲覧者の心拍数と、取り込んだ（ダウンロード）心拍数と比較して、その差が大きい場合、臨場感が不足或いは過剰となっているとして、電動椅子３０の振動変位または加速度が大きく或いは小さくなるように部分について取り込んだ（ダウンロードした）加速度データを変更し、結果的にモーションデータを変更する（上記した駆動データの変更調整に対応）。この変更は、通信・再現システム２ａ〜２ｃ側が単独で実行し、また、ＩＳＰ装置４、業者通信装置５のホームページに格納（アップロード）する。
【０２１３】
　このようにして、個人からの体験記録情報が、ＩＳＰ装置４や業者通信装置５に格納されて、この後でインターネットのホームページを通じて公開かつ提供される。
【０２１４】
　（第５実施形態の利点）
　上記したように、この第５実施形態では、記録情報及び体感検出情報が、公衆通信ネットワーク（有線通信回線網１）、例えば、ＴＣＰ／ＩＰネットワークのホームページで公開かつ提供されて、特に個人での、より広範囲な利用が可能になる。
【０２１５】
　（第６実施形態の構成及び各部の個別動作）
　この第６実施形態の構成は、第１実施形態の構成（図１から図４）と同様である。その重複した説明は省略する。
【０２１６】
　（第６実施形態の全体動作）
　図９は第６実施形態の動作を説明するためのフロー・シーケンス図である。ここでは上記した図８を再度参照して説明する。
【０２１７】
　図１から図４及び図８と図９を参照すると、この第６実施形態では、第５実施形態で、例えば、ＴＣＰ／ＩＰネットワークのサイト／ホームページに格納されて、一般公開された記録情報及び体感検出情報を、通信・再現システム２ａ〜２ｃが取り込み、再現して楽しむものである。
【０２１８】
　まず、図９に示すように、通信・再現システム２ｂの小型汎用コンピュータ２０からＩＳＰ装置４又は業者通信装置５のホームページ（図８参照）がアクセスされる（図９中の（以下、この「図９中の」の表記は省略する。）ステップＳ４１）。
【０２１９】
　このアクセスでアトラクションＮｏ.３の取り込み要求をＩＳＰ装置４又は業者通信装置５が受け取ると（ステップＳ４２）、その体験記録情報（図８中のデータ構成４Ａ，５Ａ）をＤ／Ｂエンジンによって読み出して（ステップＳ４３）、要求を行った通信・再現システム２ｂの小型汎用コンピュータ２０に転送する（ステップＳ４４。図８の（Ｃ））。
【０２２０】
　アトラクションＮｏ.３の体験記録情報を受け取った（ステップＳ４５）、通信・再現システム２ｂの小型汎用コンピュータ２０での、上記したプログラム処理（再現処理、変更・調整、駆動データ出力、ステップＳ４６，Ｓ４７，Ｓ４８）は第２実施形態の図６のフローチャートのプログラム処理と同様である。その重複した詳細な説明を省略する。
【０２２１】
　（第６実施形態の利点）
　上記したように、この第６実施形態では、記録情報及び集録者の体感検出情報（体験記録情報）が、公衆通信ネットワーク（有線通信回線網１）、例えば、ＴＣＰ／ＩＰネットワークのサイト／ホームページを通じて、例えば、公開された体験記録情報（記録情報及び体感検出情報）から選択的に取得できるようになり、特に個人での、より広範囲な利用が可能になる。
【０２２２】
　（第７実施形態の構成及び各部の個別動作）
　この第７実施形態の構成は、第１実施形態の構成（図１から図４）と同様である。その重複した説明は省略する。
【０２２３】
　（第７実施形態の全体動作）
　図１０は第７実施形態における動作を説明するためのフロー・シーケンス図であり、図１１は、記録情報及び体感検出情報の格納（アップロード）及び取り込み（ダウンロード）における対価決済の流れを説明するための図である。
【０２２４】
　図１から図４及び図１１を参照すると、この第７実施形態では、個人的に作成した体験記録情報が、小型汎用コンピュータ２０からＩＳＰ装置４や業者通信装置５のホームページに格納（Ｄ／Ｂへの格納）された際に、この格納依頼（提供）に対する対価決済を双方向通信ネットワークを通じて、格納を行う側が格納を依頼する側に支払うものである。
【０２２５】
　図１０を参照すると、この第７実施形態における体験記録情報の小型汎用コンピュータ２０からＩＳＰ装置４や業者通信装置５のホームページへの登録（Ｄ／Ｂへの格納）は、上記した第４実施形態の図７の処理（図７及び図１０のステップＳ３０〜Ｓ３４）と同様であり、その重複した説明は省略する。
【０２２６】
　この後、対価決済となる。ＩＳＰ装置４又は業者通信装置５がネットバンク通信装置３に、対価決済（上記したクレジットカード、デビットカード、電子マネー、世界共通ネット通貨(beans)）のための情報を送信する。この情報には、対価決済の種類、その額、通知先（例えば、電子メールアドレス）を転送する（ステップＳ５０）。
【０２２７】
　この第７実施形態での対価決済は、図１１中の対価決済（ｂ）と体験記録情報の登録の流れに対応する。この図１１中の例の対価決済は、ＩＳＰ装置４の運営者が実施している。
【０２２８】
　すなわち、業者通信装置５のホ―ムページを、ＩＳＰ装置４のポータルサイトなどによって公開する場合は、その公開の対価決済である使用料（ａ）を、例えば、ネットバンク通信装置３を通じて支払う。
【０２２９】
　なお、対価決済の種類としては、これらの金銭以外にも、電子データによる商品券、商品交換用ポイント提供などの多様な対価決済も適用することが出来る（以下の実施形態でも同様）。
【０２３０】
　この対価決済の情報を受け取ったネットバンク通信装置３は、この対価決済情報を受取ると（ステップＳ５１）、小型汎用コンピュータ２０に発信してリンクを設定して（ステップＳ５２，Ｓ５３），上記した対価決済を実行する（ステップＳ５４）。この後、ネットバンク通信装置３がＩＳＰ装置４又は業者通信装置５に対価決済が完了した旨の決済連絡情報を転送する（ステップＳ５５，Ｓ５６）。そして、ＩＳＰ装置４又は業者通信装置５が、決済を処理する（テップＳ５７）。
【０２３１】
　（第７実施形態の利点）
　上記したように、この第７実施形態では、体験記録情報（記録情報及び集録者の体感検出情報）が、公衆通信ネットワーク（有線通信回線網１）を通じて有料提供できるようになる。特に、個人で作成した、例えば、登山行程の記録情報及び体感検出情報をインターネットなどを通じて、公開的に提供され、かつ、収益が得られる。
【０２３２】
　（第８実施形態の構成及び各部の個別動作）
　この第８実施形態の構成は、第１実施形態の構成（図１から図４）と同様である。その重複した説明は省略する。
【０２３３】
　（第８実施形態の全体動作）
　図１２は第８実施形態における動作を説明するためのフロー・シーケンス図である。ここでは、上記した図１１を再度参照して説明する。
【０２３４】
　図１から図４及び図１１と図１２を参照すると、この第８実施形態では、ＩＳＰ装置４又は業者通信装置５のホームページで公開された体験記録情報を通信・再現システム２ａ〜２ｃが取り込む際の使用又は購入における対価決済を行うものである。
【０２３５】
　図１２を参照すると、この第８実施形態では、小型汎用コンピュータ２０からＩＳＰ装置４や業者通信装置５のホームページへのアクセスは、上記した第６実施形態の図９の処理（図９のステップＳ４１〜Ｓ４８）と同様である。その重複した説明は省略する。
【０２３６】
　この後、対価決済となる。この対価決済は、図１０の第７実施形態の処理と同じである。すなわち、ＩＳＰ装置４又は業者通信装置５がネットバンク通信装置３に、対価決済の情報を送信する（ステップＳ５０）。
【０２３７】
　この対価決済情報を受け取ったネットバンク通信装置３は、この対価決済情報を受取ると小型汎用コンピュータ２０に発信してリンクを設定して（ステップＳ５１，Ｓ５２，Ｓ５３），対価決済を実行し（ステップＳ５４）。この後、ネットバンク通信装置３がＩＳＰ装置４又は業者通信装置５に対価決済が完了した旨の決済連絡情報を転送する（ステップＳ５５，Ｓ５６）。そして、ＩＳＰ装置４（図１１の例ではＩＳＰ）又は業者通信装置５（図１１の例ではアミューズメント業者）が対価決済を実行する（ステップＳ５７）。
【０２３８】
　この第８実施形態での対価決済は、図１１中の対価決済（ｃ）とダウンロード（図１１の例ではテーマパークＡ）の流れに対応する。この図１１中の例の対価決済は、ＩＳＰ装置４の運営者が実施している。この場合、ＩＳＰ装置４側から業者通信装置５側に、対価決済の手数料を差し引いた対価（ｄ）がネットバンク通信装置３を通じて支払われる。
【０２３９】
　なお、図１１において、通信・再現システム２ａ〜２ｃの使用者（顧客Ａ〜Ｃ）が、ＩＳＰ装置４の運営に参加（＝体験記録情報の格納（アップロード）及び取り込み（ダウンロード）における対価決済）する場合、その運営参加が会員制などの有料の場合は、ＩＳＰ装置４の運営者にその会費として使用料(ｅ)を予めネットバンク通信装置３を通じて支払う。この後、ＩＳＰ装置４から会員専用のパスワードなどが付与され、このパスワードを使用して体験記録情報の格納（アップロード）及び取り込み（ダウンロード）における対価決済（対価（ｂ）（ｃ）（ｅ））を行うことになる。
【０２４０】
　（第８実施形態の利点）
　上記したように、この第８実施形態では、体験記録情報（記録情報及び集録者の体感検出情報）が、公衆通信ネットワーク（有線通信回線網１）を通じて有料で取得できるようになる。特に、個人で作成された、例えば、登山行程の記録情報及び体感検出情報をインターネットなどを通じて低額（例えば、回線接続ごとの課金に対し、定額料金による実質的な低額）で取得できるようになる。
【０２４１】
　（第９実施形態の構成及び各部の個別動作）
　図１３は第９実施形態の要部構成を示す通信ネットワーク図である。
【０２４２】
　図１３を参照すると、この第９実施形態の要部構成は、図３に示した小型汎用コンピュータ２０及び通信接続装置２１に代えた小型汎用コンピュータ２０ａ及び携帯通信端末２１ａを用いた構成である。さらに、有線通信回線網１にデジタル移動通信ネットワークにおける無線通信回線網１ａが接続されている。この他の構成は第１実施形態（図１から図４）と同じである。その重複した説明は省略する。
【０２４３】
　携帯通信端末２１ａは、例えば、既知のＰＤＡ（Personal Digital Assistant）やインターネットサーフィンが可能なウェブブラウザを搭載した携帯電話機で実現される。
【０２４４】
　無線通信回線網１ａは、例えば、ＡＲＩＢ−２７／２８規格のＰＤＣ（Personal Digital Cellular Telecommunication System)方式やＰＨＳ(Personal Handyphone System)方式であり、セル基地局ＢＳを図示しない移動通信制御局（ＭＣＣ）が収容する既知の移動回線網である。なお、無線通信回線網１ａは、ＴＩＡ標準ＩＳ９５系／ＩＭＴ−２０００のＮ／Ｗ−ＣＤＭＡ方式でも良く特に限定しない。
【０２４５】
　（第９実施形態の全体動作）
　図１３を参照すると、この第９実施形態では、携帯通信端末２１ａと無線通信回線網１ａが無線区間（エアーインタフェース）である。例えば、ＴＤＭＡ、ＴＤＤＭＡ／ＴＤＤ，Ｎ／Ｗ−ＣＤＭＡの伝送方式による通信を行う。この通信では、セル基地局ＢＳのサービスエリア内に携帯通信端末２１ａが移動すると、制御チャネルをスキャンしてモニタし、最大受信電界強度のものを補足する。この位置登録後は、既知の発呼（発信）又は着呼（着信）に対する通信シーケンスが実行される。
【０２４６】
　この構成において、通信・再現システム２ａ〜２ｃとＩＳＰ装置４や業者通信装置５との間の体験記録情報の登録（アップロード）や取り込み（ダウンロード）、対価決済は、上記した第７及び第８実施形態と同様である。その重複した動作説明は省略する。
【０２４７】
　（第９実施形態の利点）
　上記したように、この第９実施形態では、通信・再現システム２ａ〜２ｃとＩＳＰ装置４や業者通信装置５との間が、無線区間で回線接続可能になる。したがって、携帯可能な小型汎用コンピュータ２０ａを用いることによって、撮影現場から、その体験記録情報をＩＳＰ装置４や業者通信装置５に転送できるようになって、その移動場所の選定の自由度が向上する。
【０２４８】
　（第１０実施形態の構成及び各部の個別動作）
　図１４は第１０実施形態の要部構成を示す通信ネットワーク図である。
【０２４９】
　図１４を参照すると、この第１０実施形態の要部構成では、図１に示した撮影集音装置１０ａ〜１０ｃに代えてカメラ付き携帯電話機を用いている。さらに、有線通信回線網１に、通信プロトコル変換用のゲートウェイ装置（ＧＷ）によって接続した無線通信回線網１ａが接続されている。また、カメラ付き携帯電話機には、体感情報検出装置９ａ〜９ｃがインターフェース接続されている。この他の構成は第１実施形態（図１から図４）と同じである。その重複した説明は省略する。
【０２５０】
　携帯電話機の撮影集音装置１０ａ〜１０ｃは、インターネットアクセスが可能なアプリケーション（ブラウザ）を搭載している。無線通信回線網１ａは、上記したＰＤＣ、ＰＨＳの伝送方式であり、携帯電話機の撮影集音装置１０ａ〜１０ｃと回線接続するセル基地局ＢＳが設けられている。
【０２５１】
　（第１０実施形態の全体動作）
　図１４において、この第１０実施形態では、携帯電話機を用いた撮影集音装置１０ａ〜１０ｃから、体験記録情報（記録情報及び体感検出情報）を直接、無線通信回線網１ａ及び有線通信回線網１を通じて通信・再現システム２ａ〜２ｃの小型汎用コンピュータ２０に転送できるようになる。この後の通信・再現システム２ａ〜２ｃの処理は、上記した第１及び第８実施形態と同様であり、その重複した説明は省略する。
【０２５２】
　（第１０実施形態の利点）
　上記したように、この第１０実施形態では、カメラ付き携帯電話機を撮影集音装置１０ａ〜１０ｃとして用い、かつ、通信・再現システム２ａ〜２ｃとの間が、無線区間で回線接続される。したがって、撮影現場から、その体験記録情報を通信・再現システム２ａ〜２ｃに転送できるようになって、特に、撮影作業における移動場所の選定の自由度が向上する。
【０２５３】
　（実施形態の変形例など）
　なお、この第１から第１０実施形態では、コンピュータグラフィックス（ＣＧ）などの画像、すなわち、撮像ではなくアニメーションなどの作成画像にも対応可能であり、この非撮像であるアニメーション画像に対する処理も本発明に含まれる。
【図面の簡単な説明】
【０２５４】
【図１】本発明の第１実施形態の全体構成を示す通信ネットワーク図である。
【図２】第１実施形態にあって体感情報検出装置及び撮影集音装置の内部構成例を説明するための図である。
【図３】第１実施形態の通信・再現システムの内部構成例を説明するための図である。
【図４】第１実施形態の各部の要部構成例を示すブロック図である。
【図５】第１実施形態の処理手順を説明するためのフローチャートである。
【図６】第２実施形態の処理手順を説明するためのフローチャートである。
【図７】第５実施形態の動作を説明するためのフロー・シーケンス図である。
【図８】第５実施形態にあって記録情報及び体感検出情報の格納（登録）及び取り込みを説明するための図である。
【図９】第６実施形態の動作を説明するためのフロー・シーケンス図である。
【図１０】第７実施形態の動作を説明するためのフロー・シーケンス図である。
【図１１】第７実施形態にあって体験記録情報の対価決済を説明するための図である。
【図１２】第８実施形態における動作を説明するためのフロー・シーケンス図である。
【図１３】第９実施形態の要部構成を示す通信ネットワーク図である。
【図１４】第１０実施形態の要部構成を示す通信ネットワーク図である。
【図１５】第３実施形態の小型汎用コンピュータの機能構成例を説明するための図である。
【図１６】磁気テープ上の記録パターンの一例を示す図である。
【符号の説明】
【０２５５】
　１　有線通信回線網
　１ａ　無線通信回線網
　２ａ〜２ｃ　通信・再現システム
　３　ネットバンク通信装置
　４　ＩＳＰ装置
　５　業者通信装置
　９ａ〜９ｃ　体感情報検出装置
　１０ａ〜１０ｃ　撮影集音装置
　１３，２０，２０ａ　小型汎用コンピュータ
　２１　通信接続装置
　２５　撮像表示装置
　２６　投影部
　２７　表示スクリーン
　３０　電動椅子
　３１　着座部
　３２　電動駆動部
　３５　スピーカ
　５０　空気調整装置
　５５　送風機
　６０　照明装置
　４００　ＣＰＵ
　５１０　制御手段
　５２０　機能手段
　５２２　デジタル信号処理手段
　５２４　画像信号処理手段
　５２６　音声信号処理手段
　５２８　空気調整装置制御手段
　５３０　送風機制御手段
　５３２　照明装置制御手段
　５３４　電動椅子制御手段
　５３６　再現状態制御手段
【図１】
2004140812.tif 000003
【図２】
2004140812.tif 000004
【図３】
2004140812.tif 000005
【図４】
2004140812.tif 000006
【図５】
2004140812.tif 000007
【図６】
2004140812.tif 000008
【図７】
2004140812.tif 000009
【図８】
2004140812.tif 000010
【図９】
2004140812.tif 000011
【図１０】
2004140812.tif 000012
【図１１】
2004140812.tif 000013
【図１２】
2004140812.tif 000014
【図１３】
2004140812.tif 000015
【図１４】
2004140812.tif 000016
【図１５】
2004140812.tif 000017
【図１６】
2004140812.tif 000018